(57)【要約】      （修正有）【課題】無線リソースの利用率を向上させるデータ送信方法及び無線通信デバイスを提供する。【解決手段】方法は、第１サブフレームの種類を決定する段階２０１を備える。第１サブフレームの種類は、第１種サブフレーム、第２種サブフレーム、第３種サブフレーム又は第４種サブフレームである。第１種サブフレームはアップリンク制御チャネル及びダウンリンクチャネルを含み、アップリンク制御チャネルはダウンリンクチャネルの前に位置する。第２種サブフレームは、アップリンク制御チャネル及びダウンリンクチャネルを含み、アップリンク制御チャネルは、ダウンリンクチャネルの後に位置し、そのアップリンク制御チャネルとダウンリンクチャネルとの間にガード期間が存在する。方法は更に、第１サブフレームの種類に従って、第１サブフレームにおいてデータを送信する段階２０２を備える。【選択図】図２
2019165450.tif 000002
【特許請求の範囲】
【請求項１】
データ送信方法であって、前記方法は、
データ送信のための第１サブフレームの種類を決定する段階であって、前記第１サブフレームの前記種類は、第１種サブフレーム、第２種サブフレーム、第３種サブフレーム、又は第４種サブフレームであり、
前記第１種サブフレームは、アップリンク制御チャネル及びダウンリンクチャネルを含み、前記第１種サブフレームの前記アップリンク制御チャネルは、前記第１種サブフレームの前記ダウンリンクチャネルの前に位置し、
前記第２種サブフレームは、アップリンク制御チャネル及びダウンリンクチャネルを含み、前記第２種サブフレームの前記アップリンク制御チャネルは、前記第２種サブフレームの前記ダウンリンクチャネルの後に位置し、前記第２種サブフレームの前記アップリンク制御チャネルと、前記第２種サブフレームの前記ダウンリンクチャネルとの間にガード期間が存在し、
前記第３種サブフレームは、アップリンクチャネル及びダウンリンク制御チャネルを含み、前記第３種サブフレームの前記アップリンクチャネルは、前記第３種サブフレームの前記ダウンリンク制御チャネルの前に位置し、
前記第４種サブフレームは、アップリンクチャネル及びダウンリンク制御チャネルを含み、前記第４種サブフレームの前記アップリンクチャネルは、前記第４種サブフレームの前記ダウンリンク制御チャネルの後に位置し、前記第４種サブフレームの前記アップリンクチャネルと、前記第４種サブフレームの前記ダウンリンク制御チャネルとの間にガード期間が存在する、段階と、
前記第１サブフレームの前記決定された種類に従って、前記第１サブフレームにおいてデータを送信する段階と
を備える
データ送信方法。
【請求項２】
前記方法は、前記第１サブフレームの後の第２サブフレームにおいてデータを送信する段階であって、前記第２サブフレームは前記第１サブフレームに隣接する、段階をさらに備え、
前記第２サブフレームの開始時点におけるデータ送信方向が前記第１サブフレームの終了時点におけるデータ送信方向と異なる場合、前記第１サブフレームと前記第２サブフレームとの間にガード期間がさらに含まれ、
前記第２サブフレームの前記開始時点における前記データ送信方向が前記第１サブフレームの前記終了時点におけるデータ送信方向と同じである場合、前記第１サブフレームと前記第２サブフレームとの間に時間間隔が含まれない、請求項１に記載の方法。
【請求項３】
前記方法は、前記第１サブフレームの後の第２サブフレームにおいてデータを送信する段階であって、前記第２サブフレームは、前記第１サブフレームに隣接する、段階をさらに備え、
前記第２サブフレームの開始時点におけるデータ送信方向がアップリンクであり、前記第１サブフレームの終了時点におけるデータ送信方向がダウンリンクである場合、前記第１サブフレームと前記第２サブフレームとの間にガード期間がさらに含まれる、請求項１に記載の方法。
【請求項４】
データ送信のための第１サブフレームの種類を決定する前記段階は、第１の予め設定された周期に従って、前記第１サブフレームの前記種類が前記第１種サブフレーム又は前記第２種サブフレームであるかを決定する段階、又は、
第２の予め設定された周期に従って、前記第１サブフレームの前記種類が前記第３種サブフレーム又は前記第４種サブフレームであるかを決定する段階を含む、請求項１から３の何れか一項に記載の方法。
【請求項５】
前記第１の予め設定された周期に従って、前記第１サブフレームの前記種類が前記第１種サブフレーム又は前記第２種サブフレームであると決定したとき、前記第１サブフレームは、同期信号、ブロードキャスト信号、又はディスカバリ参照信号のうちの１つ又はそれらの組み合わせを送信するために用いられて、前記ブロードキャスト信号は、前記第１の予め設定された周期及び／又は前記第２の予め設定された周期に関する情報を保持するために用いられる、
請求項４に記載の方法。
【請求項６】
前記第１の予め設定された周期及び前記第２の予め設定された周期が同じであるとき、前記ブロードキャスト信号は、前記第１の予め設定された周期又は前記第２の予め設定された周期を示し、前記ブロードキャスト信号は、前記第１の予め設定された周期と前記第２の予め設定された周期との間のオフセットをさらに示し、前記オフセットは、前記第１の予め設定された周期及び前記第２の予め設定された周期に対応するサブフレーム間のサブフレームナンバーの差を示すために用いられる、請求項５に記載の方法。
【請求項７】
前記第１サブフレームは、指示情報を保持し、前記指示情報は、前記第１サブフレームの後の第ｋサブフレームのサブフレーム種類を示すために用いられ、ｋは正の整数である、請求項１から６の何れか一項に記載の方法。
【請求項８】
前記第１種サブフレームの前記ダウンリンクチャネルにおける第１の予め設定された数の連続するシンボル、又は前記第２種サブフレームの前記ダウンリンクチャネルにおける第１の予め設定された数の連続するシンボルは、ダウンリンク制御チャネルを送信するために用いられ、前記第１種サブフレームの前記ダウンリンクチャネルにおける、前記第１の予め設定された数のシンボル以外のシンボル、又は前記第２種サブフレームの前記ダウンリンクチャネルにおける、前記第１の予め設定された数のシンボル以外のシンボルは、ダウンリンクデータを送信するために用いられ、前記第１の予め設定された数の連続するシンボルは、時間的順序で最初に配置された第１の予め設定された数のシンボルであり、又は、前記第１の予め設定された数の連続するシンボルは、時間的順序で最後に配置される第１の予め設定された数のシンボルである、請求項１から７の何れか一項に記載の方法。
【請求項９】
前記第１種サブフレームの前記ダウンリンクチャネルにおける第１周波数帯域セット、又は前記第２種サブフレームの前記ダウンリンクチャネルにおける第１周波数帯域セットは、ダウンリンクデータを送信するために用いられ、前記第１種サブフレームの前記ダウンリンクチャネルにおける第２周波数帯域セット、又は前記第２種サブフレームの前記ダウンリンクチャネルにおける第２周波数帯域セットは、ダウンリンク制御チャネルを送信するために用いられる、請求項１から７の何れか一項に記載の方法。
【請求項１０】
前記第１種サブフレームの前記ダウンリンクチャネルにおける第１の予め設定された数の連続するシンボル、又は前記第２種サブフレームの前記ダウンリンクチャネルの第１の予め設定された数の連続するシンボルは、ダウンリンク制御チャネルを送信するために用いられ、前記第１種サブフレームの前記ダウンリンクチャネルにおける、前記第１の予め設定された数のシンボル以外のシンボルの第３周波数帯域セット、又は前記第２種サブフレームの前記ダウンリンクチャネルにおける、前記第１の予め設定された数のシンボル以外のシンボルの第３周波数帯域セットは、ダウンリンクデータを送信するために用いられ、前記第１種サブフレームの前記ダウンリンクチャネル又は前記第２種サブフレームの前記ダウンリンクチャネルにおける、前記第１の予め設定された数のシンボル以外の前記シンボルの第４周波数帯域セット、又は前記第２種サブフレームの前記ダウンリンクチャネルにおける、前記第１の予め設定された数のシンボル以外の前記シンボルの第４周波数帯域セットは、ダウンリンク制御チャネルを送信するために用いられる、請求項１から７の何れか一項に記載の方法。
【請求項１１】
前記第３種サブフレームの前記アップリンクチャネルにおける第２の予め設定された数の連続するシンボル、又は前記第４種サブフレームの前記アップリンクチャネルにおける第２の予め設定された数の連続するシンボルは、アップリンク制御チャネルを送信するために用いられ、前記第３種サブフレームの前記アップリンクチャネルにおける、前記第２の予め設定された数のシンボル以外のシンボル、又は前記第４種サブフレームの前記アップリンクチャネルにおける、前記第２の予め設定された数のシンボル以外のシンボルは、アップリンクデータを送信するために用いられ、前記第２の予め設定された数の連続するシンボルは、時間的順序で最初に配置された第２の予め設定された数のシンボルであり、又は前記第２の予め設定された数の連続するシンボルは、時間的順序で最後に配置された第２の予め設定された数のシンボルである、請求項１から１０の何れか一項に記載の方法。
【請求項１２】
前記第３種サブフレームの前記アップリンクチャネルにおける第１周波数帯域セット、又は前記第４種サブフレームの前記アップリンクチャネルにおける第１周波数帯域セットは、アップリンクデータを送信するために用いられ、前記第３種サブフレームの前記アップリンクチャネルにおける第２周波数帯域セット、又は前記第４種サブフレームの前記アップリンクチャネルにおける第２周波数帯域セットは、アップリンク制御チャネルを送信するために用いられる、請求項１から１０の何れか一項に記載の方法。
【請求項１３】
前記第３種サブフレームの前記アップリンクチャネルにおける第２の予め設定された数の連続するシンボル、又は前記第４種サブフレームの前記アップリンクチャネルにおける第２の予め設定された数の連続するシンボルは、アップリンク制御チャネルを送信するために用いられ、前記第３種サブフレームの前記アップリンクチャネルにおける、前記第２の予め設定された数のシンボル以外のシンボルの第３周波数帯域セット、又は前記第４種サブフレームの前記アップリンクチャネルにおける、前記第２の予め設定された数のシンボル以外のシンボルの第３周波数帯域セットは、アップリンクデータを送信するために用いられ、前記第３種サブフレームの前記アップリンクチャネルにおける、前記第２の予め設定された数のシンボル以外の前記シンボルの第４周波数帯域セット、又は前記第４種サブフレームの前記アップリンクチャネルにおける、前記第２の予め設定された数のシンボル以外の前記シンボルの第４周波数帯域セットは、アップリンク制御チャネルを送信するために用いられる、請求項１から１０の何れか一項に記載の方法。
【請求項１４】
データ送信デバイスであって、前記デバイスは、
データ送信のための第１サブフレームの種類を決定するよう構成される決定モジュールであって、前記第１サブフレームの前記種類は、第１種サブフレーム、第２種サブフレーム、第３種サブフレーム、又は第４種サブフレームであり、
前記第１種サブフレームは、アップリンク制御チャネル及びダウンリンクチャネルを含み、前記第１種サブフレームの前記アップリンク制御チャネルは、前記第１種サブフレームの前記ダウンリンクチャネルの前に位置し、
前記第２種サブフレームは、アップリンク制御チャネル及びダウンリンクチャネルを含み、前記第２種サブフレームの前記アップリンク制御チャネルは、前記第２種サブフレームの前記ダウンリンクチャネルの後に位置し、前記第２種サブフレームの前記アップリンク制御チャネルと前記第２種サブフレームの前記ダウンリンクチャネルとの間にガード期間が存在し、
前記第３種サブフレームは、アップリンクチャネル及びダウンリンク制御チャネルを含み、前記第３種サブフレームの前記アップリンクチャネルは、前記第３種サブフレームの前記ダウンリンク制御チャネルの前に位置し、
前記第４種サブフレームは、アップリンクチャネル及びダウンリンク制御チャネルを含み、前記第４種サブフレームの前記アップリンクチャネルは、前記第４種サブフレームの前記ダウンリンク制御チャネルの後に位置し、前記第４種サブフレームの前記アップリンクチャネルと前記第４種サブフレームの前記ダウンリンク制御チャネルとの間にガード期間が存在する、決定モジュールと、
前記第１サブフレームの前記決定された種類に従って、前記第１サブフレームにおいてデータを送信するよう構成される第１送信モジュールと
を備える
データ送信デバイス。
【請求項１５】
前記デバイスは、前記第１サブフレームの後の第２サブフレームにおいてデータを送信するよう構成される第２送信モジュールであって、前記第２サブフレームは、前記第１サブフレームに隣接する、第２送信モジュールをさらに備え、
前記第２サブフレームの開始時点におけるデータ送信方向が前記第１サブフレームの終了時点におけるデータ送信方向と異なる場合、前記第１サブフレームと前記第２サブフレームとの間にガード期間がさらに含まれ、
前記第２サブフレームの前記開始時点における前記データ送信方向が前記第１サブフレームの前記終了時点における前記データ送信方向と同じである場合、前記第１サブフレームと前記第２サブフレームとの間に時間間隔が含まれない、請求項１４に記載のデバイス。
【請求項１６】
前記デバイスは、前記第１サブフレームの後の第２サブフレームにおいてデータを送信するように構成される第２送信モジュールであって、前記第２サブフレームは、前記第１サブフレームに隣接する、第２送信モジュールをさらに備え、
前記第２サブフレームの開始時点におけるデータ送信方向がアップリンクであり、前記第１サブフレームの終了時点におけるデータ送信方向がダウンリンクである場合、前記第１サブフレームと前記第２サブフレームとの間にガード期間がさらに含まれる、請求項１４に記載のデバイス。
【請求項１７】
前記決定モジュールは、
第１の予め設定された周期に従って、前記第１サブフレームの前記種類が前記第１種サブフレーム又は前記第２種サブフレームであるかを決定するよう構成される第１決定モジュール、又は、
第２の予め設定された周期に従って、前記第１サブフレームの前記種類が前記第３種サブフレーム又は前記第４種サブフレームであるかを決定するよう構成される第２決定モジュールを含む、請求項１４から１６の何れか一項に記載のデバイス。
【請求項１８】
前記第１の予め設定された周期に従って、前記第１サブフレームの前記種類が前記第１種サブフレーム又は前記第２種サブフレームであると決定されたとき、前記第１サブフレームは、同期信号、ブロードキャスト信号、又はディスカバリ参照信号のうちの１つ又はそれらの組み合わせを送信するために用いられ、
前記ブロードキャスト信号は、前記第１の予め設定された周期及び／又は前記第２の予め設定された周期に関する情報を保持するために用いられる、請求項１７に記載のデバイス。
【請求項１９】
前記第１の予め設定された周期及び前記第２の予め設定された周期が同じであるとき、前記ブロードキャスト信号は、前記第１の予め設定された周期又は前記第２の予め設定された周期を示し、前記ブロードキャスト信号は、前記第１の予め設定された周期と前記第２の予め設定された周期との間のオフセットをさらに示し、前記オフセットは、前記第１の予め設定された周期及び前記第２の予め設定された周期に対応するサブフレーム間のサブフレームナンバーの差を示すために用いられる、請求項１８に記載のデバイス。
【請求項２０】
前記第１サブフレームは、指示情報を保持し、前記指示情報は、前記第１サブフレームの後の第ｋサブフレームのサブフレーム種類を示すために用いられ、ｋは、正の整数である、請求項１４から１９の何れか一項に記載のデバイス。
【請求項２１】
前記第１種サブフレームの前記ダウンリンクチャネルにおける第１の予め設定された数の連続するシンボル、又は前記第２種サブフレームの前記ダウンリンクチャネルにおける第１の予め設定された数の連続するシンボルは、ダウンリンク制御チャネルを送信するために用いられ、前記第１種サブフレームの前記ダウンリンクチャネルにおける、前記第１の予め設定された数のシンボル以外のシンボル、又は前記第２種サブフレームの前記ダウンリンクチャネルにおける、前記第１の予め設定された数のシンボル以外のシンボルは、ダウンリンクデータを送信するために用いられ、前記第１の予め設定された数の連続するシンボルは、時間的順序で最初に配置された第１の予め設定された数のシンボルであり、又は前記第１の予め設定された数の連続するシンボルは、時間的順序で最後に配置された第１の予め設定された数のシンボルである、請求項１４から２０の何れか一項に記載のデバイス。
【請求項２２】
前記第１種サブフレームの前記ダウンリンクチャネルにおける第１周波数帯域セット、又は前記第２種サブフレームの前記ダウンリンクチャネルにおける第１周波数帯域セットは、ダウンリンクデータを送信するために用いられ、前記第１種サブフレームの前記ダウンリンクチャネルにおける第２周波数帯域セット、又は前記第２種サブフレームの前記ダウンリンクチャネルにおける第２周波数帯域セットは、ダウンリンク制御チャネルを送信するために用いられる、請求項１４から２０の何れか一項に記載のデバイス。
【請求項２３】
前記第１種サブフレームの前記ダウンリンクチャネルにおける第１の予め設定された数の連続するシンボル、又は前記第２種サブフレームの前記ダウンリンクチャネルにおける第１の予め設定された数の連続するシンボルは、ダウンリンク制御チャネルを送信するために用いられ、前記第１種サブフレームの前記ダウンリンクチャネルにおける、前記第１の予め設定された数のシンボル以外のシンボルの第３周波数帯域セット、又は前記第２種サブフレームの前記ダウンリンクチャネルにおける、前記第１の予め設定された数のシンボル以外のシンボルの第３周波数帯域セットは、ダウンリンクデータを送信するために用いられ、前記第１種サブフレームの前記ダウンリンクチャネル又は前記第２種サブフレームの前記ダウンリンクチャネルにおける、前記第１の予め設定された数のシンボル以外の前記シンボルの第４周波数帯域セット、又は前記第２種サブフレームの前記ダウンリンクチャネルにおける、前記第１の予め設定された数のシンボル以外の前記シンボルの第４周波数帯域セットは、ダウンリンク制御チャネルを送信するために用いられる、請求項１４から２０の何れか一項に記載のデバイス。
【請求項２４】
前記第３種サブフレームの前記アップリンクチャネルにおける第２の予め設定された数の連続するシンボル、又は前記第４種サブフレームの前記アップリンクチャネルにおける第２の予め設定された数の連続するシンボルは、アップリンク制御チャネルを送信するために用いられ、前記第３種サブフレームの前記アップリンクチャネルにおける、前記第２の予め設定された数のシンボル以外のシンボル、又は前記第４種サブフレームの前記アップリンクチャネルにおける、前記第２の予め設定された数のシンボル以外のシンボルは、アップリンクデータを送信するために用いられ、前記第２の予め設定された数の連続するシンボルは、時間的順序で最初に配置された第２の予め設定された数のシンボルであり、又は、前記第２の予め設定された数の連続するシンボルは、時間的順序で最後に配置された第２の予め設定された数のシンボルである、請求項１４から２３の何れか一項に記載のデバイス。
【請求項２５】
前記第３種サブフレームの前記アップリンクチャネルにおける第１周波数帯域セット、又は前記第４種サブフレームの前記アップリンクチャネルにおける第１周波数帯域セットは、アップリンクデータを送信するために用いられ、前記第３種サブフレームの前記アップリンクチャネルにおける第２周波数帯域セット、又は前記第４種サブフレームの前記アップリンクチャネルにおける第２周波数帯域セットは、アップリンク制御チャネルを送信するために用いられる、請求項１４から２３の何れか一項に記載のデバイス。
【請求項２６】
前記第３種サブフレームの前記アップリンクチャネルにおける第２の予め設定された数の連続するシンボル、又は前記第４種サブフレームの前記アップリンクチャネルにおける第２の予め設定された数の連続するシンボルは、アップリンク制御チャネルを送信するために用いられ、前記第３種サブフレームの前記アップリンクチャネルにおける、前記第２の予め設定された数のシンボル以外のシンボルの第３周波数帯域セット、又は前記第４種サブフレームの前記アップリンクチャネルにおける、前記第２の予め設定された数のシンボル以外のシンボルの第３周波数帯域セットは、アップリンクデータを送信するために用いられ、前記第３種サブフレームの前記アップリンクチャネルにおける、前記第２の予め設定された数のシンボル以外の前記シンボルの第４周波数帯域セット、又は前記第４種サブフレームの前記アップリンクチャネルにおける、前記第２の予め設定された数のシンボル以外の前記シンボルの第４周波数帯域セットは、アップリンク制御チャネルを送信するために用いられる、請求項１４から１０の何れか一項に記載の方法。
【請求項２７】
データ送信デバイスであって、前記デバイスは、
データ送信のための第１サブフレームの種類を決定するよう構成されるプロセッサであって、前記第１サブフレームの前記種類は、第１種サブフレーム、第２種サブフレーム、第３種サブフレーム、又は第４種サブフレームであり、
前記第１種サブフレームは、アップリンク制御チャネル及びダウンリンクチャネルを含み、前記第１種サブフレームの前記アップリンク制御チャネルは、前記第１種サブフレームの前記ダウンリンクチャネルの前に位置し、
前記第２種サブフレームは、アップリンク制御チャネル及びダウンリンクチャネルを含み、前記第２種サブフレームの前記アップリンク制御チャネルは、前記第２種サブフレームの前記ダウンリンクチャネルの後に位置し、前記第２種サブフレームの前記アップリンク制御チャネルと前記第２種サブフレームの前記ダウンリンクチャネルとの間にガード期間が存在し、
前記第３種サブフレームは、アップリンクチャネル及びダウンリンク制御チャネルを含み、前記第３種サブフレームの前記アップリンクチャネルは、前記第３種サブフレームの前記ダウンリンク制御チャネルの前に位置し、
前記第４種サブフレームは、アップリンクチャネル及びダウンリンク制御チャネルを含み、前記第４種サブフレームの前記アップリンクチャネルは、前記第４種サブフレームの前記ダウンリンク制御チャネルの後に位置し、前記第４種サブフレームの前記アップリンクチャネルと前記第４種サブフレームの前記ダウンリンク制御チャネルとの間にガード期間が存在する、プロセッサと、
前記第１サブフレームの前記決定された種類に従って、前記第１サブフレームにおいてデータを送信するよう構成される送信機と
を備える
データ送信デバイス。
【請求項２８】
前記デバイスは、前記第１サブフレームの後の第２サブフレームにおいてデータを送信するようさらに構成される前記送信機であって、前記第２サブフレームは前記第１サブフレームに隣接する、前記送信機をさらに備え、
前記第２サブフレームの開始時点におけるデータ送信方向が前記第１サブフレームの終了時点におけるデータ送信方向と異なる場合、前記第１サブフレームと前記第２サブフレームとの間にガード期間がさらに含まれ、
前記第２サブフレームの前記開始時点における前記データ送信方向が前記第１サブフレームの前記終了時点における前記データ送信方向と同じである場合、前記第１サブフレームと前記第２サブフレームとの間に時間間隔が含まれない、請求項２７に記載のデバイス。
【請求項２９】
前記デバイスは、前記第１サブフレームの後の第２サブフレームにおいてデータを送信するようさらに構成される前記送信機であって、前記第２サブフレームは、前記第１サブフレームに隣接する、前記送信機をさらに備え、
前記第２サブフレームの開始時点におけるデータ送信方向がアップリンクであり、前記第１サブフレームの終了時点におけるデータ送信方向がダウンリンクである場合、前記第１サブフレームと前記第２サブフレームとの間にガード期間がさらに含まれる、請求項２７に記載のデバイス。
【請求項３０】
前記プロセッサは、第１の予め設定された周期に従って、前記第１サブフレームの前記種類が前記第１種サブフレーム又は前記第２種サブフレームであるかを決定するようさらに構成され、又は、
前記プロセッサは、第２の予め設定された周期に従って、前記第１サブフレームの前記種類が前記第３種サブフレーム又は第４種サブフレームであるかを決定するようさらに構成される、請求項２７から２９の何れか一項に記載のデバイス。
【請求項３１】
前記第１の予め設定された周期に従って、前記第１サブフレームの前記種類が前記第１種サブフレーム又は前記第２種サブフレームであると決定されたとき、前記第１サブフレームは、同期信号、ブロードキャスト信号、又はディスカバリ参照信号のうちの１つ又はそれらの組み合わせを送信するために用いられ、前記ブロードキャスト信号は、前記第１の予め設定された周期及び／又は前記第２の予め設定された周期に関する情報を保持するために用いられる、請求項３０に記載のデバイス。
【請求項３２】
前記第１の予め設定された周期及び前記第２の予め設定された周期が同じであるとき、前記ブロードキャスト信号は、前記第１の予め設定された周期又は前記第２の予め設定された周期を示し、前記ブロードキャスト信号は、前記第１の予め設定された周期と前記第２の予め設定された周期との間のオフセットをさらに示し、前記オフセットは、前記第１の予め設定された周期及び前記第２の予め設定された周期に対応するサブフレーム間のサブフレームナンバーの差を示すために用いられる、請求項３１に記載のデバイス。
【請求項３３】
前記第１サブフレームは、指示情報を保持し、前記指示情報は、前記第１サブフレームの後の第ｋサブフレームのサブフレーム種類を示すために用いられ、ｋは正の整数である、請求項２７から３２の何れか一項に記載のデバイス。
【請求項３４】
前記第１種サブフレームの前記ダウンリンクチャネルにおける第１の予め設定された数の連続するシンボル、又は前記第２種サブフレームの前記ダウンリンクチャネルにおける第１の予め設定された数の連続するシンボルは、ダウンリンク制御チャネルを送信するために用いられ、前記第１種サブフレームの前記ダウンリンクチャネルにおける、前記第１の予め設定された数のシンボル以外のシンボル、又は前記第２種サブフレームの前記ダウンリンクチャネルにおける、前記第１の予め設定された数のシンボル以外のシンボルは、ダウンリンクデータを送信するために用いられ、前記第１の予め設定された数の連続するシンボルは、時間的順序で最初に配置された第１の予め設定された数のシンボルであり、又は前記第１の予め設定された数の連続するシンボルは、時間的順序で最後に配置された第１の予め設定された数のシンボルである、請求項２７から３３の何れか一項に記載のデバイス。
【請求項３５】
前記第１種サブフレームの前記ダウンリンクチャネルにおける第１周波数帯域セット、又は前記第２種サブフレームの前記ダウンリンクチャネルにおける第１周波数帯域セットは、ダウンリンクデータを送信するために用いられ、前記第１種サブフレームの前記ダウンリンクチャネルにおける第２周波数帯域セット、又は前記第２種サブフレームの前記ダウンリンクチャネルにおける第２周波数帯域セットは、ダウンリンク制御チャネルを送信するために用いられる、求項２７から３３の何れか一項に記載のデバイス。
【請求項３６】
前記第１種サブフレームの前記ダウンリンクチャネルにおける第１の予め設定された数の連続するシンボル、又は前記第２種サブフレームの前記ダウンリンクチャネルにおける第１の予め設定された数の連続するシンボルは、ダウンリンク制御チャネルを送信するために用いられ、前記第１種サブフレームの前記ダウンリンクチャネルにおける、前記第１の予め設定された数のシンボル以外のシンボルの第３周波数帯域セット、又は前記第２種サブフレームの前記ダウンリンクチャネルにおける、前記第１の予め設定された数のシンボル以外のシンボルの第３周波数帯域セットは、ダウンリンクデータを送信するために用いられ、前記第１種サブフレームの前記ダウンリンクチャネル又は前記第２種サブフレームの前記ダウンリンクチャネルにおける、前記第１の予め設定された数のシンボル以外の前記シンボルの第４周波数帯域セット、又は前記第２種サブフレームの前記ダウンリンクチャネルにおける、前記第１の予め設定された数のシンボル以外の前記シンボルの第４周波数帯域セットは、ダウンリンク制御チャネルを送信するために用いられる、請求項２７から３３の何れか一項に記載のデバイス。
【請求項３７】
前記第３種サブフレームの前記アップリンクチャネルにおける第２の予め設定された数の連続するシンボル、又は前記第４種サブフレームの前記アップリンクチャネルにおける第２の予め設定された数の連続するシンボルは、アップリンク制御チャネルを送信するために用いられ、前記第３種サブフレームの前記アップリンクチャネルにおける、前記第２の予め設定された数のシンボル以外のシンボル、又は前記第４種サブフレームの前記アップリンクチャネルにおける、前記第２の予め設定された数のシンボル以外のシンボルは、アップリンクデータを送信するために用いられ、前記第２の予め設定された数の連続するシンボルは、時間的順序で最初に配置された第２の予め設定された数のシンボルであり、又は前記第２の予め設定された数の連続するシンボルは、時間的順序で最後に配置された第２の予め設定された数のシンボルである、請求項２７から３６の何れか一項に記載のデバイス。
【請求項３８】
前記第３種サブフレームの前記アップリンクチャネルにおける第１周波数帯域セット、又は前記第４種サブフレームの前記アップリンクチャネルにおける第１周波数帯域セットは、アップリンクデータを送信するために用いられ、前記第３種サブフレームの前記アップリンクチャネルにおける第２周波数帯域セット、又は前記第４種サブフレームの前記アップリンクチャネルにおける第２周波数帯域セットは、アップリンク制御チャネルを送信するために用いられる、請求項２７から３６の何れか一項に記載のデバイス。
【請求項３９】
前記第３種サブフレームの前記アップリンクチャネルにおける第２の予め設定された数の連続するシンボル、又は前記第４種サブフレームの前記アップリンクチャネルにおける第２の予め設定された数の連続するシンボルは、アップリンク制御チャネルを送信するために用いられ、前記第３種サブフレームの前記アップリンクチャネルにおける、前記第２の予め設定された数のシンボル以外のシンボルの第３周波数帯域セット、又は前記第４種サブフレームの前記アップリンクチャネルにおける、前記第２の予め設定された数のシンボル以外のシンボルの第３周波数帯域セットは、アップリンクデータを送信するために用いられ、前記第３種サブフレームの前記アップリンクチャネルにおける、前記第２の予め設定された数のシンボル以外の前記シンボルの第４周波数帯域セット、又は前記第４種サブフレームの前記アップリンクチャネルにおける、前記第２の予め設定された数のシンボル以外の前記シンボルの第４周波数帯域セットは、アップリンク制御チャネルを送信するために用いられる、請求項２７から３６の何れか一項に記載のデバイス。
【発明の詳細な説明】
【技術分野】
【０００１】
本願発明は無線通信分野に関し、特に、データ送信方法及びデバイスに関する。
【背景技術】
【０００２】
無線通信システムにおいて、データ送信は、アップリンク送信及びダウンリンク送信を含む。アップリンク送信とは、ユーザ機器（英語表記：Ｕｓｅｒ  Ｅｑｕｉｐｍｅｎｔ、略してＵＥ）が基地局にデータを送信することを指し、ダウンリンク送信とは、基地局がＵＥにデータを送信することを指す。加えて、アップリンク送信及びダウンリンク送信において、異なる時間及び周波数リソースを占有する必要がある。例えば、時分割複信（英語表記：Ｔｉｍｅ  Ｄｉｖｉｓｉｏｎ  Ｄｕｐｌｅｘ、略してＴＤＤ）方式を用いるロングタームエボリューション（英語表記：Ｌｏｎｇ  Ｔｅｒｍ  Ｅｖｏｌｕｔｉｏｎ、略してＬＴＥ）システムでは、アップリンク送信及びダウンリンク送信において、データ送信のために異なる時間間隔内のフレームを占有する必要がある。
【０００３】
ＬＴＥシステムにおいて、１フレームは１０のフレームに分割され得て、その１０のフレームは、アップリンクサブフレーム、ダウンリンクサブフレーム、及び特殊サブフレームを含む。それぞれのサブフレームは、時間において複数のシンボルにさらに分割され得て、その複数のシンボルは、直交周波数分割多重（英語表記：Ｏｒｔｈｏｇｏｎａｌ  Ｆｒｅｑｕｅｎｃｙ  Ｄｉｖｉｓｉｏｎ  Ｍｕｌｔｉｐｌｅｘ、略してＯＦＤＭ）シンボル、又は単一搬送波周波数分割複数接続（英語表記：Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘ  Ａｃｃｅｓｓ、略してＳＣ−ＦＤＭＡ）シンボルであり得る。ＯＦＤＭシンボルは、ダウンリンク送信のために用いられ、ＳＣ−ＦＤＭＡシンボルは、アップリンク送信のために用いられる。
【０００４】
従来技術において、図１に示されているように、２つの連続するサブフレーム、すなわち、サブフレームｎ及びサブフレームｎ＋１が含まれる。それぞれのサブフレームの第１シンボルがＯＦＤＭシンボルとして割り当てられ、第１シンボルは、ダウンリンク制御チャネルを送信するために用いられる。第２シンボルは、ＳＣ−ＦＤＭＡシンボルとして割り当てられ、第２シンボルは、アップリンク制御チャネルを送信するために用いられる。第２シンボルに続く残余シンボルが、ＳＣ−ＦＤＭＡシンボルとして割り当てられてよく、又はＯＦＤＭシンボルとして割り当てられてよい。従って、第２シンボルに続く残余シンボルは、アップリンクデータ又はダウンリンクデータを送信するために用いられる。加えて、ネットワークデバイスがアップリンク送信とダウンリンク送信との間を切り替えるとき、特定のガード期間（英語表記：Ｇｕａｒｄ  Ｐｅｒｉｏｄ）が必要とされる。ネットワークデバイスは、ガード期間内においてデータを送信することができない。従って、２つの連続するシンボルに対して、一方のシンボルがアップリンク送信のために用いられ、他方のシンボルはダウンリンク送信のために用いられる場合、すなわち、一方のシンボルがＳＣ−ＦＤＭＡシンボルであり、他方のシンボルがＯＦＤＭシンボルである場合、その２つのシンボルの間においてガード期間を設定する必要がある。図１に示されているように、アップリンク送信とダウンリンク送信との間の切り替えは、それぞれのサブフレーム内において２回実行される必要があり、３つのガード期間を設定する必要がある。
【０００５】
そのような既存の設計は比較的フレキシブルであるが、その設計は、リソースの浪費及び複雑な実装性といった欠点を有する。具体的には、従来技術において、３つのガード期間を１つのサブフレームにおいて設定する必要がある。結果として、有効なデータ情報がガード期間の時間内に送信できないのみならず、通信デバイスも受信及び送信状態の間を頻繁に切り替える必要があり、実装の複雑性の増大を招く。
【発明の概要】
【０００６】
リソースを減らし、無線リソースの利用率を向上させ、実装の複雑性を低減させるために、本願発明の実施形態は、データ送信方法及びデバイスを提供する。その技術的解決手段は以下の通りである。
【０００７】
第１態様によれば、データ送信方法が提供され、該方法は、データ送信のための第１サブフレームの種類を決定する段階であって、第１サブフレームの種類は、第１種サブフレーム、第２種サブフレーム、第３種サブフレーム、又は第４種サブフレームであり、第１種サブフレームは、アップリンク制御チャネル及びダウンリンクチャネルを含み、第１種サブフレームのアップリンク制御チャネルは、第１種サブフレームのダウンリンクチャネルの前に位置し、第２種サブフレームは、アップリンク制御チャネル及びダウンリンクチャネルを含み、第２種サブフレームのアップリンク制御チャネルは、第２種サブフレームのダウンリンクチャネルの後に位置し、第２種サブフレームのアップリンク制御チャネルと第２種サブフレームのダウンリンクチャネルとの間にガード期間が存在し、第３種サブフレームは、アップリンクチャネル及びダウンリンク制御チャネルを含み、第３種サブフレームのアップリンクチャネルは、第３種サブフレームのダウンリンク制御チャネルの前に位置し、第４種サブフレームは、アップリンクチャネル及びダウンリンク制御チャネルを含み、第４種サブフレームのアップリンクチャネルは、第４種サブフレームのダウンリンク制御チャネルの後に位置し、第４種サブフレームのアップリンクチャネルと第４種サブフレームのダウンリンク制御チャネルとの間にガード期間が存在する、段階と、第１サブフレームの決定された種類に従って、第１サブフレームにおいてデータを送信する段階とを備える。
【０００８】
第１態様に関連して、第１態様の第１の可能な実施方式において、方法は、第１サブフレームの後の第２サブフレームにおいてデータを送信する段階であって、第２サブフレームは第１サブフレームに隣接する、段階をさらに備え、第２サブフレームの開始時点におけるデータ送信方向が第１サブフレームの終了時点におけるデータ送信方向と異なる場合、第１サブフレームと第２サブフレームとの間にガード期間がさらに含まれ、第２サブフレームの開始時点におけるデータ送信方向が第１サブフレームの終了時点におけるデータ送信方向と同じである場合、第１サブフレームと第２サブフレームとの間に時間間隔が含まれない。
【０００９】
第１態様に関連して、第１態様の第２の可能な実施方式において、方法は、第１サブフレームの後の第２サブフレームにおいてデータを送信する段階であって、第２サブフレームは第１サブフレームに隣接する、段階をさらに備え、第２サブフレームの開始時点におけるデータ送信方向がアップリンクであり、第１サブフレームの終了時点におけるデータ送信方向がダウンリンクである場合、第１サブフレームと第２サブフレームとの間にガード期間がさらに含まれる。
【００１０】
第１態様、又は第１態様の第１の可能な実施方式、又は第１態様の第２の可能な実施方式に関連して、第１態様の第３の可能な実施方式において、データ送信のための第１サブフレームの種類を決定する段階は、第１の予め設定された周期に従って、第１サブフレームの種類が第１種サブフレーム又は第２種サブフレームであるかを決定する段階、又は、第２の予め設定された周期に従って、第１サブフレームの種類が第３種サブフレーム又は第４種サブフレームであるかを決定する段階を含む。
【００１１】
第１態様の第３の可能な実施方式に関連して、第１態様の第４の可能な実施方式において、第１の予め設定された周期に従って、第１サブフレームの種類が第１種サブフレーム又は第２種サブフレームであると決定されたとき、第１サブフレームは、同期信号、ブロードキャスト信号、又はディスカバリ参照信号のうちの１つ又はそれらの組み合わせを送信するために用いられ、ここで、ブロードキャスト信号は、第１の予め設定された周期及び／又は第２の予め設定された周期に関する情報を保持するために用いられる。
【００１２】
第１態様の第３の可能な実施方式、又は第１態様の第４の可能な実施方式に関連して、第１態様の第５の可能な実施方式において、第１の予め設定された周期及び第２の予め設定された周期が同じであるとき、ブロードキャスト信号は、第１の予め設定された周期又は第２の予め設定された周期を示し、ブロードキャスト信号は、第１の予め設定された周期と第２の予め設定された周期との間のオフセットをさらに示し、オフセットは、第１の予め設定された周期及び第２の予め設定された周期に対応するサブフレーム間のサブフレームナンバーの差を示すために用いられる。
【００１３】
第１態様から第１態様の第５の可能な実施方式の何れか１つに関連して、第１態様の第６の可能な実施方式において、第１サブフレームのアップリンク制御チャネル又はダウンリンク制御チャネルは、指示情報を保持し、指示情報は、第１サブフレームの後の第ｋサブフレームのサブフレーム種類を示すために用いられ、ｋは正の整数である。
【００１４】
第１態様から第１態様の第６の可能な実施方式の何れか１つに関連して、第１態様の第７の可能な実施方式において、第１種サブフレームのダウンリンクチャネルにおける第１の予め設定された数の連続するシンボル、又は第２種サブフレームのダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボル、又は第２種サブフレームのダウンリンクチャネルにおける、第１の予め設定された数のシンボル以外のシンボルは、ダウンリンクデータを送信するために用いられ、ここで、第１の予め設定された数の連続するシンボルは、時間的順序で最初に配置された第１の予め設定された数のシンボルであり、又は第１の予め設定された数の連続するシンボルは時間的順序で最後に配置された第１の予め設定された数のシンボルである。
【００１５】
第１態様から第１態様の第６の可能な実施方式の何れか１つに関連して、第１態様の第８の可能な実施方式において、第１種サブフレームのダウンリンクチャネルにおける第１周波数帯域セット、又は第２種サブフレームのダウンリンクチャネルにおける第１周波数帯域セットは、ダウンリンクデータを送信するために用いられ、第１種サブフレームのダウンリンクチャネルにおける第２周波数帯域セット、又は第２種サブフレームのダウンリンクチャネルにおける第２周波数帯域セットは、ダウンリンク制御チャネルを送信するために用いられる。
【００１６】
第１態様から第１態様の第６の可能な実施方式の何れか１つに関連して、第１態様の第９の可能な実施方式において、第１種サブフレームのダウンリンクチャネルにおける第１の予め設定された数の連続するシンボル、又は第２種サブフレームのダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボルの第３周波数帯域セット、又は第２種サブフレームのダウンリンクチャネルにおける、第１の予め設定された数のシンボル以外のシンボルの第３周波数帯域セットは、ダウンリンクデータを送信するために用いられ、第１種サブフレームのダウンリンクチャネル又は第２種サブフレームのダウンリンクチャネルにおける、第１の予め設定された数のシンボル以外のシンボルの第４周波数帯域セット、又は第２種サブフレームのダウンリンクチャネルにおける、第１の予め設定された数のシンボル以外のシンボルの第４周波数帯域セットは、ダウンリンク制御チャネルを送信するために用いられる。
【００１７】
第１態様から第１態様の第９の可能な実施方式の何れか１つに関連して、第１態様の第１０の可能な実施方式において、第３種サブフレームのアップリンクチャネルにおける第２の予め設定された数の連続するシンボル、又は第４種サブフレームのアップリンクチャネルにおける第２の予め設定された数の連続するシンボルは、アップリンク制御チャネルを送信するために用いられ、第３種サブフレームのアップリンクチャネルにおける、第２の予め設定された数のシンボル以外のシンボル、又は第４種サブフレームのアップリンクチャネルにおける、第２の予め設定された数のシンボル以外のシンボルは、アップリンクデータを送信するために用いられ、ここで、第２の予め設定された数の連続するシンボルは、時間的順序で最初に配置された第２の予め設定された数のシンボルであり、又は第２の予め設定された数の連続するシンボルは、時間的順序で最後に配置された第２の予め設定された数のシンボルである。
【００１８】
第１態様から第１態様の第９の可能な実施方式の何れか１つに関連して、第１態様の第１１の可能な実施方式において、第３種サブフレームのアップリンクチャネルにおける第１周波数帯域セット、又は第４種サブフレームのアップリンクチャネルにおける第１周波数帯域セットは、アップリンクデータを送信するために用いられ、第３種サブフレームのアップリンクチャネルにおける第２周波数帯域セット、又は第４種サブフレームのアップリンクチャネルにおける第２周波数帯域セットは、アップリンク制御チャネルを送信するために用いられる。
【００１９】
第１態様から第１態様の第９の可能な実施方式の何れか１つに関連して、第１態様の第１２の可能な実施方式において、第３種サブフレームのアップリンクチャネルにおける第２の予め設定された数の連続するシンボル、又は第４種サブフレームのアップリンクチャネルにおける第２の予め設定された数の連続するシンボルは、アップリンク制御チャネルを送信するために用いられ、第３種サブフレームのアップリンクチャネルにおける、第２の予め設定された数のシンボル以外のシンボルの第３周波数帯域セット、又は第４種サブフレームのアップリンクチャネルにおける、第２の予め設定された数のシンボル以外のシンボルの第３周波数帯域セットは、アップリンクデータを送信するために用いられ、第３種サブフレームのアップリンクチャネルにおける、第２の予め設定された数のシンボル以外のシンボルの第４周波数帯域セット、又は第４種サブフレームのアップリンクチャネルにおける、第２の予め設定された数のシンボル以外のシンボルの第４周波数帯域のセットは、アップリンク制御チャネルを送信するために用いられる。
【００２０】
第２態様によれば、データ送信デバイスが提供され、該デバイスは、データ送信のための第１サブフレームの種類を決定するよう構成される決定モジュールであって、第１サブフレームの種類は、第１種サブフレーム、第２種サブフレーム、第３種サブフレーム、又は第４種サブフレームであり、第１種サブフレームは、アップリンク制御チャネル及びダウンリンクチャネルを含み、第１種サブフレームのアップリンク制御チャネルは、第１種サブフレームのダウンリンクチャネルの前に位置し、第２種サブフレームは、アップリンク制御チャネル及びダウンリンクチャネルを含み、第２種サブフレームのアップリンク制御チャネルは、第２種サブフレームのダウンリンクチャネルの後に位置し、第２種サブフレームのアップリンク制御チャネルと第２種サブフレームのダウンリンクチャネルとの間にガード期間が存在し、第３種サブフレームは、アップリンクチャネル及びダウンリンク制御チャネルを含み、第３種サブフレームのアップリンクチャネルは、第３種サブフレームのダウンリンク制御チャネルの前に位置し、第４種サブフレームは、アップリンクチャネル及びダウンリンク制御チャネルを含み、第４種サブフレームのアップリンクチャネルは、第４種サブフレームのダウンリンク制御チャネルの後に位置し、第４種サブフレームのアップリンクチャネルと第４種サブフレームのダウンリンク制御チャネルとの間にガード期間が存在する、決定モジュールと、第１サブフレームの決定された種類に従って、第１サブフレームにおいてデータを送信するよう構成される第１送信モジュールとを備える。
【００２１】
第２態様に関連して、第２態様の第１の可能な実施方式において、デバイスは、第１サブフレームの後の第２サブフレームにおいてデータを送信するよう構成される第２送信モジュールであって、第２サブフレームは第１サブフレームに隣接する、第２送信モジュールをさらに備え、第２サブフレームの開始時点におけるデータ送信方向が第１サブフレームの終了時点におけるデータ送信方向と異なる場合、第１サブフレームと第２サブフレームとの間にガード期間がさらに含まれ、第２サブフレームの開始時点におけるデータ送信方向が第１サブフレームの終了時点におけるデータ送信方向と同じである場合、第１サブフレームと第２サブフレームとの間に時間間隔が含まれない。
【００２２】
第２態様に関連して、第２態様の第２の可能な実施方式において、デバイスは、第１サブフレームの後の第２サブフレームにおいてデータを送信するよう構成される第２送信モジュールであって、第２サブフレームは第１サブフレームに隣接する、第２送信モジュールをさらに備え、第２サブフレームの開始時点におけるデータ送信方向がアップリンクであり、第１サブフレームの終了時点におけるデータ送信方向がダウンリンクである場合、第１サブフレームと第２サブフレームとの間にガード期間がさらに含まれる。
【００２３】
第２態様、又は第２態様の第１の可能な実施方式、又は第２態様の第２の可能な実施方式に関連して、第２態様の第３の可能な実施方式において、決定モジュールは、第１の予め設定された周期に従って、第１サブフレームの種類が第１種サブフレーム又は第２種サブフレームであるかを決定するよう構成される第１決定モジュール、又は、第２の予め設定された周期に従って、第１サブフレームの種類が第３種サブフレーム又は第４種サブフレームであるかを決定するよう構成される第２決定モジュールを含む。
【００２４】
第２態様の第３の可能な実施方式に関連して、第２態様の第４の可能な実施方式において、第１の予め設定された周期に従って、第１サブフレームの種類が第１種サブフレーム又は第２種サブフレームであると決定されたとき、第１サブフレームは、同期信号、ブロードキャスト信号、又はディスカバリ参照信号のうちの１つ又はそれらの組み合わせを送信するように用いられ、ここで、ブロードキャスト信号は、第１の予め設定された周期及び／又は第２の予め設定された周期に関する情報を保持するために用いられる。
【００２５】
第２態様の第３の可能な実施方式又は第２態様の第４の可能な実施方式に関連して、第２態様の第５の可能な実施方式において、第１の予め設定された周期及び第２の予め設定された周期が同じであるとき、ブロードキャスト信号は、第１の予め設定された周期又は第２の予め設定された周期を示し、ブロードキャスト信号は、第１の予め設定された周期と第２の予め設定された周期との間のオフセットをさらに示し、オフセットは、第１の予め設定された周期及び第２の予め設定された周期に対応するサブフレーム間のサブフレームナンバーの差を示すために用いられる。
【００２６】
第２態様から第２態様の第５の可能な実施方式の何れか１つに関連して、第２態様の第６の可能な実施方式において、第１サブフレームのアップリンク制御チャネル又はダウンリンク制御チャネルは、指示情報を保持し、指示情報は、第１サブフレームの後の第ｋサブフレームのサブフレーム種類を示すために用いられ、ｋは、正の整数である。
【００２７】
第２態様から第２態様の第６の可能な実施方式の何れか１つに関連して、第２態様の第７の可能な実施方式において、第１種サブフレームのダウンリンクチャネルにおける第１の予め設定された数の連続するシンボル、又は第２種サブフレームのダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボル、又は第２種サブフレームのダウンリンクチャネルにおける、第１の予め設定された数のシンボル以外のシンボルは、ダウンリンクデータを送信するために用いられ、ここで、第１の予め設定された数の連続するシンボルは、時間的順序で最初に配置された第１の予め設定された数のシンボルであり、又は、第１の予め設定された数の連続するシンボルは、時間的順序で最後に配置された第１の予め設定された数のシンボルである。
【００２８】
第２態様から第２態様の第６の可能な実施方式の何れか１つに関連して、第２態様の第８の可能な実施方式において、第１種サブフレームのダウンリンクチャネルにおける第１周波数帯域セット、又は第２種サブフレームのダウンリンクチャネルにおける第１周波数帯域セットは、ダウンリンクデータを送信するために用いられ、第１種サブフレームのダウンリンクチャネルにおける第２周波数帯域セット、又は第２種サブフレームのダウンリンクチャネルにおける第２周波数帯域セットは、ダウンリンク制御チャネルを送信するために用いられる。
【００２９】
第２態様から第２態様の第６の可能な実施方式の何れか１つに関連して、第２態様の第９の可能な実施方式において、第１種サブフレームのダウンリンクチャネルにおける第１の予め設定された数の連続するシンボル、又は第２種サブフレームのダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボルの第３周波数帯域セット、又は第２種サブフレームのダウンリンクチャネルにおける、第１の予め設定された数のシンボル以外のシンボルの第３周波数帯域セットは、ダウンリンクデータを送信するために用いられ、第１種サブフレームのダウンリンクチャネル又は第２種サブフレームのダウンリンクチャネルにおける、第１の予め設定された数のシンボル以外のシンボルの第４周波数帯域セット、又は第２種サブフレームのダウンリンクチャネルにおける、第１の予め設定された数のシンボル以外のシンボルの第４周波数帯域セットは、ダウンリンク制御チャネルを送信するために用いられる。
【００３０】
第２態様から第２態様の第９の可能な実施方式の何れか１つに関連して、第２態様の第１０の可能な実施方式において、第３種サブフレームのアップリンクチャネルにおける第２の予め設定された数の連続するシンボル、又は第４種サブフレームのアップリンクチャネルにおける第２の予め設定された数の連続するシンボルは、アップリンク制御チャネルを送信するために用いられ、第３種サブフレームのアップリンクチャネルにおける、第２の予め設定された数のシンボル以外のシンボル、又は第４種サブフレームのアップリンクチャネルにおける、第２の予め設定された数のシンボル以外のシンボルは、アップリンクデータを送信するために用いられ、ここで、第２の予め設定された数の連続するシンボルは、時間的順序で最初に配置された第２の予め設定された数のシンボルであり、又は第２の予め設定された数の連続するシンボルは、時間的順序で最後に配置された第２の予め設定された数のシンボルである。
【００３１】
第２態様から第２態様の第９の可能な実施方式の何れか１つに関連して、第２態様の第１１の可能な実施方式において、第３種サブフレームのアップリンクチャネルにおける第１周波数帯域セット、又は第４種サブフレームのアップリンクチャネルにおける第１周波数帯域セットは、アップリンクデータを送信するために用いられ、第３種サブフレームのアップリンクチャネルにおける第２周波数帯域セット、又は第４種サブフレームのアップリンクチャネルにおける第２周波数帯域セットは、アップリンク制御チャネルを送信するために用いられる。
【００３２】
第２態様から第２態様の第９の可能な実施方式の何れか１つに関連して、第２態様の第１２の可能な実施方式において、第３種サブフレームのアップリンクチャネルにおける第２の予め設定された数の連続するシンボル、又は第４種サブフレームのアップリンクチャネルにおける第２の予め設定された数の連続するシンボルは、アップリンク制御チャネルを送信するために用いられ、第３種サブフレームのアップリンクチャネルにおける、第２の予め設定された数のシンボル以外のシンボルの第３周波数帯域セット、又は第４種サブフレームのアップリンクチャネルにおける、第２の予め設定された数のシンボル以外のシンボルの第３周波数帯域セットは、アップリンクデータを送信するために用いられ、第３種サブフレームのアップリンクチャネルにおける、第２の予め設定された数のシンボル以外のシンボルの第４周波数帯域セット、又は第４種サブフレームのアップリンクチャネルにおける、第２の予め設定された数のシンボル以外のシンボルの第４周波数帯域セットは、アップリンク制御チャネルを送信するために用いられる。
【００３３】
第３態様によれば、データ送信デバイスが提供され、該デバイスは、データ送信のための第１サブフレームの種類を決定するよう構成されるプロセッサであって、第１サブフレームの種類は、第１種サブフレーム、第２種サブフレーム、第３種サブフレーム、又は第４種サブフレームであり、第１種サブフレームはアップリンク制御チャネル及びダウンリンクチャネルを含み、第１種サブフレームのアップリンク制御チャネルは、第１種サブフレームのダウンリンクチャネルの前に位置し、第２種サブフレームは、アップリンク制御チャネル及びダウンリンクチャネルを含み、第２種サブフレームのアップリンク制御チャネルは、第２種サブフレームのダウンリンクチャネルの後に位置し、第２種サブフレームのアップリンク制御チャネルと第２種サブフレームのダウンリンクチャネルとの間にガード期間が存在し、第３種サブフレームはアップリンクチャネル及びダウンリンク制御チャネルを含み、第３種サブフレームのアップリンクチャネルは、第３種サブフレームのダウンリンク制御チャネルの前に位置し、第４種サブフレームは、アップリンクチャネル及びダウンリンク制御チャネルを含み、第４種サブフレームのアップリンクチャネルは、第４種サブフレームのダウンリンク制御チャネルの後に位置し、第４種サブフレームのアップリンクチャネルと第４種サブフレームのダウンリンク制御チャネルとの間にガード期間が存在する、プロセッサと、第１サブフレームの決定された種類に従って、第１サブフレームにおいてデータを送信するよう構成されるよう送信機とを備える。
【００３４】
第３態様に関連して、第３態様の第１の可能な実施方式において、デバイスは、第１サブフレームの後の第２サブフレームにおいてデータを送信するようさらに構成される送信機であって、第２サブフレームは第１サブフレームに隣接する、送信機をさらに備え、第２サブフレームの開始時点におけるデータ送信方向が第１サブフレームの終了時点におけるデータ送信方向と異なる場合、第１サブフレームと第２サブフレームとの間にガード期間がさらに含まれ、第２サブフレームの開始時点におけるデータ送信方向が第１サブフレームの終了時点におけるデータ送信方向と同じである場合、第１サブフレームと第２サブフレームとの間に時間間隔が含まれない。
【００３５】
第３態様に関連して、第３態様の第２の可能な実施方式において、デバイスは、第１サブフレームの後の第２サブフレームにおいてデータを送信するようさらに構成される送信機であって、第２サブフレームは第１サブフレームに隣接する、送信機をさらに備え、第２サブフレームの開始時点におけるデータ送信方向がアップリンクであり、第１サブフレームの終了時点におけるデータ送信方向がダウンリンクである場合、第１サブフレームと第２サブフレームとの間にガード期間がさらに含まれる。
【００３６】
第３態様、又は第３態様の第１の可能な実施方式、又は第３態様の第２の可能な実施方式に関連して、第３態様の第３の可能な実施方式において、プロセッサは、第１の予め設定された周期に従って、第１サブフレームの種類が第１種サブフレーム又は第２種サブフレームであるかを決定するようにさらに構成され、又は、プロセッサは、第２の予め設定された周期に従って、第１サブフレームの種類が第３種サブフレーム又は第４種サブフレームであるかを決定するようさらに構成される。
【００３７】
第３態様の第３の可能な実施方式に関連して、第３態様の第４の可能な実施方式において、第１の予め設定された周期に従って、第１サブフレームの種類が第１種サブフレーム又は第２種サブフレームであると決定されたとき、第１サブフレームは、同期信号、ブロードキャスト信号、又はディスカバリ参照信号のうちの１つ又はそれらの組み合わせを送信するために用いられ、ここで、ブロードキャスト信号は、第１の予め設定された周期及び／又は第２の予め設定された周期に関する情報を保持するために用いられる。
【００３８】
第３態様の第３の可能な実施方式又は第３態様の第４の可能な実施方式に関連して、第３態様の第５の可能な実施方式において、第１の予め設定された周期及び第２の予め設定された周期は同じであるとき、ブロードキャスト信号は、第１の予め設定された周期又は第２の予め設定された周期を示し、ブロードキャスト信号は、第１の予め設定された周期と第２の予め設定された周期との間のオフセットをさらに示し、オフセットは、第１の予め設定された周期及び第２の予め設定された周期に対応するサブフレーム間のサブフレームナンバーの差を示すために用いられる。
【００３９】
第３態様から第３態様の第５の可能な実施方式の何れか１つに関連して、第３態様の第６の可能な実施方式において、第１サブフレームのアップリンク制御チャネル又はダウンリンク制御チャネルは、指示情報を保持し、指示情報は、第１サブフレームの後の第ｋサブフレームのサブフレーム種類を示すために用いられ、ｋは正の整数である。
【００４０】
第３態様から第３態様の第６の可能な実施方式の何れか１つに関連して、第３態様の第７の可能な実施方式において、第１種サブフレームのダウンリンクチャネルにおける第１の予め設定された数の連続するシンボル、又は第２種サブフレームのダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボル、又は第２種サブフレームのダウンリンクチャネルにおける、第１の予め設定された数のシンボル以外のシンボルは、ダウンリンクデータを送信するために用いられ、ここで、第１の予め設定された数の連続するシンボルは、時間的順序で最初に配置された第１の予め設定された数のシンボルであり、又は第１の予め設定された数の連続するシンボルは、時間的順序で最後に配置された第１の予め設定された数のシンボルである。
【００４１】
第３態様から第３態様の第６の可能な実施方式の何れか１つに関連して、第３態様の第８の可能な実施方式において、第１種サブフレームのダウンリンクチャネルにおける第１周波数帯域セット、又は第２種サブフレームのダウンリンクチャネルにおける第１周波数帯域セットは、ダウンリンクデータを送信するために用いられ、第１種サブフレームのダウンリンクチャネルにおける第２周波数帯域セット、又は第２種サブフレームのダウンリンクチャネルにおける第２周波数帯域セットは、ダウンリンク制御チャネルを送信するために用いられる。
【００４２】
第３態様から第３態様の第６の可能な実施方式の何れか１つに関連して、第３態様の第９の可能な実施方式において、第１種サブフレームのダウンリンクチャネルにおける第１の予め設定された数の連続するシンボル、又は第２種サブフレームのダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボルの第３周波数帯域セット、又は第２種サブフレームのダウンリンクチャネルにおける、第１の予め設定された数のシンボル以外のシンボルの第３周波数帯域セットは、ダウンリンクデータを送信するために用いられ、第１種サブフレームのダウンリンクチャネル又は第２種サブフレームのダウンリンクチャネルにおける、第１の予め設定された数のシンボル以外のシンボルの第４周波数帯域セット、又は第２種サブフレームのダウンリンクチャネルにおける、第１の予め設定された数のシンボル以外のシンボルの第４周波数帯域セットは、ダウンリンク制御チャネルを送信するために用いられる。
【００４３】
第３態様から第３態様の第９の可能な実施方式の何れか１つに関連して、第３態様の第１０の可能な実施方式において、第３種サブフレームのアップリンクチャネルにおける第２の予め設定された数の連続するシンボル、又は第４種サブフレームのアップリンクチャネルにおける第２の予め設定された数の連続するシンボルは、アップリンク制御チャネルを送信するために用いられ、第３種サブフレームのアップリンクチャネルにおける、第２の予め設定された数のシンボル以外のシンボル、又は第４種サブフレームびアップリンクチャネルにおける、第２の予め設定された数のシンボル以外のシンボルは、アップリンクデータを送信するために用いられ、ここで、第２の予め設定された数の連続するシンボルは、時間的順序で最初に配置された第２の予め設定された数のシンボルであり、又は第２の予め設定された数の連続するシンボルは、時間的順序で最後に配置された第２の予め設定された数のシンボルである。
【００４４】
第３態様から第３態様の第９の可能な実施方式の何れか１つに関連して、第３態様の第１１の可能な実施方式において、第３種サブフレームのアップリンクチャネルにおける第１周波数帯域セット、又は第４種サブフレームのアップリンクチャネルにおける第１周波数帯域セットは、アップリンクデータを送信するために用いられ、第３種サブフレームのアップリンクチャネルにおける第２周波数帯域セット、又は第４種サブフレームのアップリンクチャネルにおける第２周波数帯域セットは、アップリンク制御チャネルを送信するために用いられる。
【００４５】
第３態様から第３態様の第９の可能な実施方式の何れか１つに関連して、第３態様の第１２の可能な実施方式において、第３種サブフレームのアップリンクチャネルにおける第２の予め設定された数の連続するシンボル、又は第４種サブフレームのアップリンクチャネルにおける第２の予め設定された数の連続するシンボルは、アップリンク制御チャネルを送信するために用いられ、第３種サブフレームのアップリンクチャネルにおける、第２の予め設定された数のシンボル以外のシンボルの第３周波数帯域セット、又は第４種サブフレームのアップリンクチャネルにおける、第２の予め設定された数のシンボル以外のシンボルの第３周波数帯域セットは、アップリンクデータを送信するために用いられ、第３種サブフレームのアップリンクチャネルにおける、第２の予め設定された数のシンボル以外のシンボルの第４周波数帯域セット、又は第４種サブフレームのアップリンクチャネルにおける、第２の予め設定された数のシンボル以外のシンボルの第４周波数帯域セットは、アップリンク制御チャネルを送信するために用いられる。
【００４６】
本願発明の実施形態において提供される技術的解決手段は、以下の有益な効果を奏する。
【００４７】
本願発明の実施形態において、データ送信のための第１サブフレームの種類が決定され、ここで、第１サブフレームの種類は、第１種サブフレーム、第２種サブフレーム、第３種サブフレーム、又は第４種サブフレームである。第１種サブフレームのアップリンク制御チャネルは、第１種サブフレームのダウンリンクチャネルの前に位置し、第１種サブフレームのアップリンク制御チャネルと第１種サブフレームのダウンリンクチャネルとの間にガード期間が含まれず、これにより、切り替えの回数を減らし、さらにガード期間の数を減らす。第２種サブフレームのアップリンク制御チャネルは第２種サブフレームのダウンリンクチャネルの後に位置し、第２種サブフレームのアップリンク制御チャネルと第２種サブフレームのダウンリンクチャネルとの間にガード期間が存在し、アップリンク送信とダウンリンク送信との間の切り替えは一回のみ実行され、これにより、切り替えの回数を減らし、さらにガード期間の数を減らす。第３種サブフレームのアップリンクチャネルは第３種サブフレームのダウンリンク制御チャネルの前に位置し、第３種サブフレームのアップリンクチャネルと第３種サブフレームのダウンリンク制御チャネルとの間にガード期間が含まれず、これにより、切り替えの回数を減らし、さらにガード期間の数を減らす。第４種サブフレームのアップリンクチャネルは、第４種サブフレームのダウンリンク制御チャネルの後に位置し、第４種サブフレームのアップリンクチャネルと第４種サブフレームのダウンリンク制御チャネルとの間にガード期間が存在し、アップリンク送信とダウンリンク送信との間の切り替えは一回のみ実行され、これにより、切り替えの回数を減らし、さらにガード期間の数を減らす。このように、無線リソースの利用率が向上する。
【図面の簡単な説明】
【００４８】
本願発明の実施形態における技術的解決手段をより明確に説明するために、以下では、実施形態を説明するために必要な添付図面を簡潔に説明する。明らかに、以下の説明における添付図面は単に本願発明のいくつかの実施形態を示しており、当業者であれば、創造的な努力なしでこれらの添付図面から他の図面をさらに導き出し得る。
【００４９】
【図１】従来技術に係るサブフレームの模式的構造図である。
【００５０】
【図２】本願発明の実施形態に係るデータ送信方法のフローチャートである。
【００５１】
【図３】本願発明の実施形態に係る別のデータ送信方法のフローチャートである。
【００５２】
【図４】（ａ）は本願発明の実施形態に係る第１種サブフレームの模式的構造図である。
【００５３】
（ｂ）は本願発明の実施形態に係る第２種サブフレームの模式的構造図である。
【００５４】
【図５】（ａ）は本願発明の実施形態に係る第３種サブフレームの模式的構造図である。
【００５５】
（ｂ）は本願発明の実施形態に係る第４種サブフレームの模式的構造図である。
【００５６】
【図６】本願発明の実施形態に係るある種類の２つの連続するサブフレームの模式的構造図である。
【００５７】
【図７】本願発明の実施形態に係る別の種類の２つの連続するサブフレームの模式的構造図である。
【００５８】
【図８】本願発明の実施形態に係るさらに別の種類の２つの連続するサブフレームの模式的構造図である。
【００５９】
【図９】（ａ）は本願発明の実施形態に係るの別の第２種サブフレームの模式的構造図である。
【００６０】
（ｂ）は本願発明の実施形態に係るさらに別の第２種サブフレームの模式的構造図である。
【００６１】
（ｃ）は本願発明の実施形態に係るまた別の第２種サブフレームの模式的構造図である。
【００６２】
【図１０】（ａ）は本願発明の実施形態に係る別の第４種サブフレームの模式的構造図である。
【００６３】
（ｂ）は本願発明の実施形態に係るさらに別の第４種サブフレームの模式的構造図である。
【００６４】
（ｃ）は本願発明の実施形態に係るまた別の第４種サブフレームの模式的構造図である。
【００６５】
【図１１】（ａ）は本願発明の実施形態に係る別の第１種サブフレームの模式的構造図である。
【００６６】
（ｂ）は本願発明の実施形態に係るさらに別の第１種サブフレームの模式的構造図である。
【００６７】
（ｃ）は本願発明の実施形態に係るまた別の第１種サブフレームの模式的構造図である。
【００６８】
【図１２】（ａ）は本願発明の実施形態に係る別の第３種サブフレームの模式的構造図である。
【００６９】
（ｂ）は本願発明の実施形態に係る別の第３種サブフレームの模式的構造図である。
【００７０】
（ｃ）は本願発明の実施形態に係る別の第３種サブフレームの模式的構造図である。
【００７１】
【図１３】本願発明の実施形態に係るデータ送信デバイスの模式的構造図である。
【００７２】
【図１４】本願発明の実施形態に係る別のデータ送信デバイスの模式的構造図である。
【発明を実施するための形態】
【００７３】
本願発明の目的、技術的解決手段、及び利点をより明確にするべく、以下では、添付図面を参照して本願発明の実施形態をさらに詳細に説明する。
【００７４】
図２は、本願発明の実施形態に係るデータ送信方法のフローチャートである。図２を参照すると、方法は、以下の段階を備える。
【００７５】
段階２０１：データ送信のための第１サブフレームの種類を決定する段階であって、第１サブフレームの種類は、第１種サブフレーム、第２種サブフレーム、第３種サブフレーム、又は第４種サブフレームである、段階である。
【００７６】
第１種サブフレームは、アップリンク制御チャネル及びダウンリンクチャネルを含み、第１種サブフレームのアップリンク制御チャネルは、第１種サブフレームのダウンリンクチャネルの前に位置する。
【００７７】
第２種サブフレームは、アップリンク制御チャネル及びダウンリンクチャネルを含み、第２種サブフレームのアップリンク制御チャネルは、第２種サブフレームのダウンリンクチャネルの後に位置し、第２種サブフレームのアップリンク制御チャネルと第２種サブフレームのダウンリンクチャネルの間にガード期間が存在する。
【００７８】
第３種サブフレームは、アップリンクチャネル及びダウンリンク制御チャネルを含み、第３種サブフレームのアップリンクチャネルは、第３種サブフレームのダウンリンク制御チャネルの前に位置する。
【００７９】
第４種サブフレームは、アップリンクチャネル及びダウンリンク制御チャネルを含み、第４種サブフレームのアップリンクチャネルは、第４種サブフレームのダウンリンク制御チャネルの後に位置し、第４種サブフレームのアップリンクチャネルと第４種サブフレームのダウンリンク制御チャネルとの間にガード期間が存在する。
【００８０】
段階２０２：第１サブフレームの決定された種類に従って、第１サブフレームにおいてデータを送信する段階である。
【００８１】
本願発明のこの実施形態において、データ送信のための第１サブフレームの種類が決定され、ここで、第１サブフレームの種類は、第１種サブフレーム、第２種サブフレーム、第３種サブフレーム、又は第４種サブフレームである。第１種サブフレームのアップリンク制御チャネルは第１種サブフレームのダウンリンクチャネルの前に位置し、第１種サブフレームのアップリンク制御チャネルと第１種サブフレームのダウンリンクチャネルとの間にガード期間が含まれず、これにより、切り替えの回数を減らし、さらにガード期間の数を減らす。第２種サブフレームのアップリンク制御チャネルは、第２種サブフレームのダウンリンクチャネルの後に位置し、第２種サブフレームのアップリンク制御チャネルと第２種サブフレームのダウンリンクチャネルとの間にガード期間が存在し、アップリンク送信とダウンリンク送信との間の切り替えは一回のみ実行され、これにより、切り替えの回数を減らし、さらにガード期間の数を減らす。第３種サブフレームのアップリンクチャネルは第３種サブフレームのダウンリンク制御チャネルの前に位置し、第３種サブフレームのアップリンクチャネルと第３種サブフレームのダウンリンク制御チャネルとの間にガード期間が含まれず、これにより、切り替えの回数を減らし、さらにガード期間の数を減らす。第４種サブフレームのアップリンクチャネルは第４種サブフレームのダウンリンク制御チャネルの後に位置し、第４種サブフレームのアップリンクチャネルと第４種サブフレームのダウンリンク制御チャネルとの間にガード期間が存在し、アップリンク送信とダウンリンク送信との間の切り替えは一回のみ実行され、これにより、切り替えの回数を減らし、さらにガード期間の数を減らす。このように、無線リソースの利用率が向上する。
【００８２】
任意選択的に、方法は、第１サブフレームの後の第２サブフレームにおいてデータを送信する段階であって、第２サブフレームが第１サブフレームに隣接する、段階をさらに備え、第２サブフレームの開始時点におけるデータ送信方向が第１サブフレームの終了時点におけるデータ送信方向と異なる場合、第１サブフレームと第２サブフレームとの間にガード期間がさらに含まれ、第２サブフレームの開始時点におけるデータ送信方向が第１サブフレームの終了時点におけるデータ送信方向と同じである場合、第１サブフレームと第２サブフレームとの間に時間間隔が含まれない。
【００８３】
任意選択的に、方法は、第１サブフレームの後の第２サブフレームにおいてデータを送信する段階であって、第２サブフレームは第１サブフレームに隣接する、段階をさらに備え、第２サブフレームの開始時点におけるデータ送信方向がアップリンクであり、第１サブフレームの終了時点におけるデータ送信方向がダウンリンクである場合、第１サブフレームと第２サブフレームとの間にガード期間がさらに含まれる。
【００８４】
任意選択的に、データ送信のための第１サブフレームの種類を決定する段階は、第１の予め設定された周期に従って、第１サブフレームの種類が第１種サブフレーム又は第２種サブフレームであるかを決定する段階、又は、第２の予め設定された周期に従って、第１サブフレームの種類が第３種サブフレーム又は第４種サブフレームであるかを決定する段階を含む。
【００８５】
任意選択的に、第１の予め設定された周期に従って、第１サブフレームの種類が第１種サブフレーム又は第２種サブフレームであると決定されたとき、第１サブフレームは、同期信号、ブロードキャスト信号、又はディスカバリ参照信号のうちの１つ又はそれらの組み合わせを送信するために用いられ、ここで、ブロードキャスト信号は、第１の予め設定された周期及び／又は第２の予め設定された周期に関する情報を保持するために用いられる。
【００８６】
任意選択的に、第１の予め設定された周期が第２の予め設定された周期と同じであるとき、ブロードキャスト信号は、第１の予め設定された周期又は第２の予め設定された周期を示し、ブロードキャスト信号は、第１の予め設定された周期と第２の予め設定された周期との間のオフセットをさらに示し、オフセットは、第１の予め設定された周期及び第２の予め設定された周期に対応するサブフレーム間のサブフレームナンバーの差を示すために用いられる。
【００８７】
任意選択的に、第１サブフレームのアップリンク制御チャネル又はダウンリンク制御チャネルは、指示情報を保持し、指示情報は、第１サブフレームの後の第ｋサブフレームのサブフレーム種類を示すために用いられ、ｋは正の整数である。
【００８８】
任意選択的に、第１種サブフレームのダウンリンクチャネルにおける第１の予め設定された数の連続するシンボル、又は第２種サブフレームのダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボル、又は第２種サブフレームのダウンリンクチャネルにおける、第１の予め設定された数のシンボル以外のシンボルは、ダウンリンクデータを送信するために用いられ、ここで、第１の予め設定された数の連続するシンボルは、時間的順序で最初に配置された第１の予め設定された数のシンボルであり、又は第１の予め設定された数の連続するシンボルは、時間的順序で最後に配置された第１の予め設定された数のシンボルである。
【００８９】
任意選択的に、第１種サブフレームのダウンリンクチャネルにおける第１周波数帯域セット、又は第２種サブフレームのダウンリンクチャネルにおける第１周波数帯域セットは、ダウンリンクデータを送信するために用いられ、第１種サブフレームのダウンリンクチャネルにおける第２周波数帯域セット、又は第２種サブフレームのダウンリンクチャネルにおける第２周波数帯域セットは、ダウンリンク制御チャネルを送信するために用いられる。
【００９０】
任意選択的に、第１種サブフレームのダウンリンクチャネルにおける第１の予め設定された数の連続するシンボル、又は第２種サブフレームのダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボルの第３周波数帯域セット、又は第２種サブフレームのダウンリンクチャネルにおける、第１の予め設定された数のシンボル以外のシンボルの第３周波数帯域セットは、ダウンリンクデータを送信するために用いられ、第１種サブフレームのダウンリンクチャネル又は第２種サブフレームのダウンリンクチャネルにおける、第１の予め設定された数のシンボル以外のシンボルの第４周波数帯域セット、又は第２種サブフレームのダウンリンクチャネルにおける、第１の予め設定された数のシンボル以外のシンボルの第４周波数帯域セットは、ダウンリンク制御チャネルを送信するために用いられる。
【００９１】
任意選択的に、第３種サブフレームのアップリンクチャネルにおける第２の予め設定された数の連続するシンボル、又は第４種サブフレームのアップリンクチャネルにおける第２の予め設定された数の連続するシンボルは、アップリンク制御チャネルを送信するために用いられ、第３種サブフレームのアップリンクチャネルにおける、第２の予め設定された数のシンボル以外のシンボル、又は第４種サブフレームのアップリンクチャネルにおける、第２の予め設定された数のシンボル以外のシンボルは、アップリンクデータを送信するために用いられ、ここで、第２の予め設定された数の連続するシンボルは、時間的順序で最初に配置された第２の予め設定された数のシンボルであり、又は第２の予め設定された数の連続するシンボルは、時間的順序で最後に配置された第２の予め設定された数のシンボルである。
【００９２】
任意選択的に、第３種サブフレームのアップリンクチャネルにおける第１周波数帯域セット、又は第４種サブフレームのアップリンクチャネルにおける第１周波数帯域セットは、アップリンクデータを送信するために用いられ、第３種サブフレームのアップリンクチャネルにおける第２周波数帯域セット、又は第４種サブフレームのアップリンクチャネルにおける第２周波数帯域セットは、アップリンク制御チャネルを送信するために用いられる。
【００９３】
任意選択的に、第３種サブフレームのアップリンクチャネルにおける第２の予め設定された数の連続するシンボル、又は第４種サブフレームのアップリンクチャネルにおける第２の予め設定された数の連続するシンボルは、アップリンク制御チャネルを送信するために用いられ、第３種サブフレームのアップリンクチャネルにおける、第２の予め設定された数のシンボル以外のシンボルの第３周波数帯域セット、又は第４種サブフレームのアップリンクチャネルにおける、第２の予め設定された数のシンボル以外のシンボルの第３周波数帯域セットは、アップリンクデータを送信するために用いられ、第３種サブフレームのアップリンクチャネルにおける、第２の予め設定された数のシンボル以外のシンボルの第４周波数帯域セット、又は第４種サブフレームのアップリンクチャネルにおける、第２の予め設定された数のシンボル以外のシンボルの第４周波数帯域セットは、アップリンク制御チャネルを送信するために用いられる。
【００９４】
前述の全ての任意選択的な技術的解決手段は任意の組み合わせによって、本願発明の任意選択的な実施形態を構成することができ、さらなる詳細は本願発明のこの実施形態において説明されない。
【００９５】
図３は、本願発明の実施形態に係るデータ送信方法のフローチャートである。図３を参照すると、方法は、以下の段階を備える。
【００９６】
段階３０１：データ送信のための第１サブフレームの種類を決定する段階であって、第１サブフレームの種類は、第１種サブフレーム、第２種サブフレーム、第３種サブフレーム、又は第４種サブフレームである、段階である。
【００９７】
第１種サブフレームは、アップリンク制御チャネル及びダウンリンクチャネルを含み、第１種サブフレームのアップリンク制御チャネルは、第１種サブフレームのダウンリンクチャネルの前に位置する。第２種サブフレームは、アップリンク制御チャネル及びダウンリンクチャネルを含み、第２種サブフレームのアップリンク制御チャネルは、第２種サブフレームのダウンリンクチャネルの後に位置し、第２種サブフレームのアップリンク制御チャネルと第２種サブフレームのダウンリンクチャネルとの間にガード期間が存在する。第３種サブフレームは、アップリンクチャネル及びダウンリンク制御チャネルを含み、第３種サブフレームのアップリンクチャネルは、第３種サブフレームのダウンリンク制御チャネルの前に位置する。第４種サブフレームは、アップリンクチャネル及びダウンリンク制御チャネルを含み、第４種サブフレームのアップリンクチャネルは、第４種サブフレームのダウンリンク制御チャネルの後に位置し、第４種サブフレームのアップリンクチャネルと第４種サブフレームのダウンリンク制御チャネルとの間にガード期間が存在する。例えば、図４及び図５において示されているように、図４（ａ）は第１種サブフレームを示し、図４（ｂ）は第２種サブフレームを示し、図５（ａ）は第３種サブフレームを示し、図５（ｂ）は第４種サブフレームを示す。
【００９８】
データがＵＥと基地局との間で送信されるとき、データは、サブフレームを用いることによって送信されてよく、それぞれのサブフレームは、同じ持続時間を有する。従って、基地局は、データ送信のための第１サブフレームを、第１種サブフレーム、第２種サブフレーム、第３種サブフレーム、又は第４種サブフレームに設定してよい。第１種サブフレームに対して、第１種サブフレームのアップリンク制御チャネルと第１種サブフレームのダウンリンクチャネルとの間にガード期間が存在せず、これにより、ガード期間の数を減らし、サブフレームにおけるデータ送信のための時間を増大し、さらに無線リソースの利用率を向上させる。第２種サブフレームに対して、第２種サブフレームのアップリンク制御チャネルと第２種サブフレームのダウンリンク制御チャネルとの間にガード期間が存在し、すなわち、第２種サブフレームにおいてダウンリンク送信からアップリンク送信への切り替えが一回実行され、これにより、切り替えの回数を減らし、ガード期間の数を減らし、サブフレームにおけるデータ送信の時間を増大し、さらに無線リソースの利用率を向上させる。第３種サブフレームに対して、第３種サブフレームのアップリンクチャネルと第３種サブフレームのダウンリンク制御チャネルとの間にガード期間が存在せず、これにより、ガード期間の数を減らし、サブフレームにおけるデータ送信のための時間を増大し、さらに無線リソースの利用率を向上させる。第４種サブフレームに対して、第４種サブフレームのアップリンクチャネルと第４種サブフレームのダウンリンク制御チャネルとの間のガード期間が存在し、すなわち、第４種サブフレームにおいてダウンリンク送信からアップリンク送信への切り替えが一回実行され、これにより、切り替えの回数を減らし、ガード期間の数を減らし、サブフレームにおいてデータ送信の時間を増大し、さらに無線リソースの利用率を向上させる。
【００９９】
アップリンク制御チャネルは、以下の情報、つまり、ダウンリンクデータを受信するための肯定応答／否定応答（英語表記：Ａｃｋｎｏｗｌｅｄｇｍｅｎｔ／Ｎｅｇａｔｉｖｅ  Ａｃｋｎｏｗｌｅｄｇｍｅｎｔ、略してＡＣＫ／ＮＡＣＫ）フィードバック、ダウンリンクチャネルの品質測定結果のためのチャネル状態情報フィードバック（英語表記：Ｃｈａｎｎｅｌ  Ｓｔａｔｅ  Ｉｎｄｉｃａｔｉｏｎ、略してＣＳＩ）、又はスケジューリング要求のうち少なくとも１種類を送信するために用いられ得る。もちろん、アップリンク制御チャネルはまた、他の情報を送信するために用いられてよく、本願発明のこの実施形態においては列挙されない。
【０１００】
本願発明のこの実施形態において、アップリンク送信からダウンリンク送信への切り替えのための全てのガード期間は等しくてよく、ダウンリンク送信からアップリンク送信への切り替えのための全てのガード期間も等しくてよいことが留意されるべきである。説明の簡易さのために、アップリンク送信からダウンリンク送信への切り替えのためのガード期間を第１時間間隔と称し、ダウンリンク送信からアップリンク送信への切り替えのためのガード期間を第２時間間隔と称する。第１時間間隔及び第２時間間隔は、同じであってよく、又は異なってよい。このことは、本願発明のこの実施形態において具体的に限定されない。
【０１０１】
加えて、ネットワークデバイスがデータを受信するとき、データを正確に受信するために、ネットワークデバイスは、アップリンク又はダウンリンクがサブフレームの前方にあるかを決定する必要がある。従って、本願発明のこの実施形態において、好ましくは、データ送信のためのサブフレームは、第１種サブフレーム又は第３種サブフレームとして決定されてよい。もちろん、データ送信のためのサブフレームはまた、第２種サブフレーム又は第４種サブフレームとして決定されてよい。このように、サブフレームにおけるアップリンク及びダウンリンクの順序が一貫して固定されてよく、これにより、ネットワークデバイスは決定工程を省略し、従って、ネットワークデバイスの設計複雑性を低減させる。
【０１０２】
本願発明の別の実施形態において、データ送信のための第１サブフレームの種類を決定する段階は、第１の予め設定された周期に従って、第１サブフレームの種類が第１種サブフレーム又は第２種サブフレームであるかを決定する段階、又は、第２の予め設定された周期に従って、第１サブフレームの種類が、第３種サブフレーム又は第４種サブフレームであるかを決定する段階を含む。すなわち、データ送信のための複数のサブフレームにおいて、固定された第１種サブフレーム又は第２種サブフレームが、第１の予め設定された周期毎に割り当てられ、固定された第３種サブフレーム又は第４種サブフレームが、第２の予め設定された周期毎に割り当てられる。複数のサブフレームのうちの別のサブフレームは第１種サブフレーム、第２種サブフレーム、第３種サブフレーム、又は第４種サブフレームとして、動的に割り当てられてよい。もちろん、別のサブフレームもまた別の種類のサブフレームとして割り当てられてよい。このことは、本願発明のこの実施形態において具体的に限定されない。
【０１０３】
複数のサブフレームのうちの別のサブフレームが第１種サブフレーム、第２種サブフレーム、第３種サブフレーム、又は第４種サブフレームとして動的に割り当てられたとき、別のサブフレームの種類がダウンリンク送信のデータ量及びアップリンク送信のデータ量に基づき、決定され得る。例えば、ダウンリンク送信のデータ量がアップリンク送信のデータ量より大きいとき、複数のサブフレームのうちの別のサブフレームに対して、第１種サブフレーム又は第２種サブフレームとして割り当てられるサブフレームの数は、第３種サブフレーム又は第４種サブフレームとして割り当てられるサブフレームの数より大きい。ダウンリンク送信のデータ量がアップリンク送信のデータ量より小さいとき、複数のサブフレームのうちの別のサブフレームに対して、第１種サブフレーム又は第２種サブフレームとして割り当てられるサブフレームの数は、第３種サブフレーム又は第４種サブフレームとして割り当てられるサブフレームの数より小さい。ダウンリンク送信のデータ量がアップリンク送信のデータ量と等しいとき、割当てを実行するにあたって別の要因も考慮されてよい。このことは、本願発明のこの実施形態において具体的に限定されない。
【０１０４】
第１の予め設定された周期に従って、第１サブフレームの種類が第１種サブフレーム又は第２種サブフレームであると決定されたとき、第１サブフレームは同期信号、ブロードキャスト信号、又はディスカバリ参照信号のうちの１つ又はそれらの組み合わせをＵＥに送信するために用いられてよく、ここで、ブロードキャスト信号は、第１の予め設定された周期及び／又は第２の予め設定された周期に関する情報を保持するために用いられる。同期信号は、時間ドメインと周波数ドメインとの間の同期のために用いられ、各フレーム及び各サブフレームの開始位置及び同様のものを取得するためにさらに用いられる。ブロードキャスト信号は、例えば、セルの識別子、セルのアンテナ構成、及び現在のフレームのナンバーなどのセルのシステム情報、をブロードキャストするためにさらに用いられる。ディスカバリ参照信号は、セルの（オフ又はオンにされた）状態を示すること、及びセルの信号エネルギを測定することなどのために用いられる。
【０１０５】
さらに、第１の予め設定された周期及び第２の予め設定された周期は、同じであってよく、又は異なってよい。第１の予め設定された周期及び第２の予め設定された周期が異なるとき、基地局は、第１の予め設定された周期に対応するサブフレームを用いて、第１の予め設定された周期及び第２の予め設定された周期をＵＥに別個に送信してよい。第１の予め設定された周期及び第２の予め設定された周期が同じであるとき、基地局は、前述のブロードキャスト信号を用いて、第１の予め設定された周期又は第２の予め設定された周期をＵＥに示してよく、ブロードキャスト信号は、第１の予め設定された周期と第２の予め設定された周期との間のオフセットをＵＥに示すためにさらに用いられ、ここで、オフセットは、第１の予め設定された周期及び第２の予め設定された周期に対応するサブフレーム間のサブフレームナンバーの差を示すために用いられる。例えば、オフセットが２であり、従って、それぞれの第１の予め設定された周期に対応するサブフレームの後の２つ目のサブフレームは、第２の予め設定された周期に対応するサブフレームである。
【０１０６】
第１の予め設定された周期及び第２の予め設定された周期は、第１の予め設定された周期に対応するサブフレームを用いて、ＵＥに送信され、又は、第１の予め設定された周期又は第２の予め設定された周期、及び第１の予め設定された周期と第２の予め設定された周期との間のオフセットは、ＵＥに送信され、これにより、初めてセルにアクセスするＵＥ、又は隣接セルから現在のセルに切り替えられるＵＥは、第１の予め設定された周期に対応するサブフレームの送信時間と、第２の予め設定された周期に対応するサブフレームの送信時間とを取得し得る。
【０１０７】
さらに、本願発明のこの実施形態において、サブフレーム種類を事前にブロードキャストする以下のメカニズムを用いることによって、ＵＥはサブフレーム種類を通知され得て、これにより、ＵＥは、事前にサブフレーム種類を取得し得て、従って、正しくデータを送信し、データを受信し得る。具体的には、第１サブフレームに対して、第１サブフレームの後の第ｋサブフレームのサブフレーム種類が取得され得て、指示情報は、第１サブフレームのアップリンク制御チャネル又はダウンリンク制御チャネルにおいて保持され得て、ここで、指示情報は、第１サブフレームの後の第ｋサブフレームのサブフレーム種類を示すために用いられる。ｋは、指定された値であり、かつ、ｋは正の整数である。
【０１０８】
サブフレーム種類を事前にブロードキャストするメカニズムを用いることによって、ＵＥが第１サブフレームの後の第ｋサブフレームのサブフレーム種類を通知されるとき、ＵＥは、指定されたブロードキャスト信号を用いることによって通知され得ることが、留意されるべきである。第１の予め設定された周期に対応するサブフレームに対して、指定されたブロードキャスト信号は、上で言及されたブロードキャスト信号であってよく、又は上で言及されたブロードキャスト信号以外のブロードキャスト信号であってよい。このことは、本願発明のこの実施形態において具体的に限定されない。
【０１０９】
段階３０２：第１サブフレームの決定された種類に従って、第１サブフレームにおいてデータを送信する段階である。
【０１１０】
第１サブフレームの種類が決定された後、アップリンク又はダウンリンクが第１サブフレームの前方にあるかを決定されてよく、次に、データが受信されてよく、又はデータは、正しく送信され得て、第１サブフレームにおけるデータ送信の正確さが保証され得る。
【０１１１】
段階３０３：第１サブフレームの後の第２サブフレームにおいてデータを送信する段階であって、第２サブフレームは第１サブフレームに隣接する、段階である。
【０１１２】
第２サブフレームの開始時点におけるデータ送信方向が第１サブフレームの終了時点におけるデータ送信方向と異なる場合、第１サブフレームと第２サブフレームとの間にガード期間がさらに含まれる。第２サブフレームの開始時点におけるデータ送信方向が第１サブフレームの終了時点におけるデータ送信方向と同じである場合、第１サブフレームと第２サブフレームとの間に時間間隔が含まれない。図６において示されているように、第１サブフレームのサブフレーム種類は第１種サブフレームであり、第１サブフレームの終了時点におけるデータ送信方向はダウンリンクであり、第２サブフレームのサブフレーム種類は第３種であり、第２サブフレームの開始時点におけるデータ送信方向はアップリンクである。この場合、第１サブフレームと第２サブフレームとの間に、ガード期間がさらに含まれる。図７において示されているように、第１サブフレームのサブフレーム種類は第１種サブフレームであり、第１サブフレームの終了時点におけるデータ送信方向はダウンリンクであり、第２サブフレームのサブフレーム種類は第４種であり、第２サブフレームの開始時点におけるデータ送信方向はダウンリンクである。この場合、第１サブフレームと第２サブフレームとの間において、アップリンク送信とダウンリンク送信との間の切り替えが存在しない。従って、第１サブフレームと第２サブフレームとの間にガード期間が含まれず、これにより、さらにガード期間の数を減らし、システムオーバーヘッドを減らし、無線リソースの利用率を向上させる。
【０１１３】
さらに、アップリンクのリードタイムがＵＥに対して構成され、すなわち、ＵＥがデータを基地局に送信するとき、アップリンク送信のためのリードタイムが存在する。リードタイム内において、ネットワークデバイス（ＵＥ又は基地局）は、アップリンク送信とダウンリンク送信との間の切り替えを実行してよい。従って、ガード期間はアップリンク送信からダウンリンク送信への切り替えの間に含まれなくてよく、これにより、さらにガード期間の数を減らす。すなわち、第２サブフレームの開始時点におけるデータ送信方向がアップリンクであり、第１サブフレームの終了時点におけるデータ送信方向がダウンリンクである場合、ガード期間は、第１サブフレームと第２サブフレームとの間にさらに含まれる。第２サブフレームの開始時点におけるデータ送信方向がダウンリンクであり、第１サブフレームの終了時点におけるデータ送信方向がアップリンクである場合、図８において示されているように、第１サブフレームと第２サブフレームとの間にガード期間が含まれなくてよい。もちろん、ガード期間は第１サブフレームと第２サブフレームとの間に含まれてもよいが、そのガード期間は非常に短くてよい。このことは、本願発明のこの実施形態において具体的に限定されない。
【０１１４】
本願発明のこの実施形態において、第１サブフレームと第２サブフレームとの間に時間間隔がさらに含まれるとき、時間間隔は、第１サブフレームにおけるデータ送信の時間を短縮することによって得られ、第２サブフレームにおけるデータ送信の時間に影響を与えないことが、留意されるべきである。例えば、図５において示されているように、第１サブフレームと第２サブフレームとの間にガード期間がさらに含まれ、ガード期間は、第１サブフレームのダウンリンクチャネルの時間を短縮することによって取得され、第２サブフレームのアップリンクチャネルの時間に影響を与えない。
【０１１５】
本願発明のこの実施形態において、第１種サブフレーム、第２種サブフレーム、第３種サブフレーム、及び第４種サブフレームの具体的な構造がさらに設計されてよい。第１種サブフレーム及び第２種サブフレームの具体的な構造は以下の通りであり得る。第１種サブフレームのダウンリンクチャネルにおける第１の予め設定された数の連続するシンボル、又は第２種サブフレームのダウンリンクチャネルにおける第１の予め設定された数の連続するシンボルが、ダウンリンク制御チャネルを送信するために用いられ、第１種サブフレームのダウンリンクチャネルにおける、第１の予め設定された数のシンボル以外のシンボル、又は第２種サブフレームのダウンリンクチャネルにおける、第１の予め設定された数のシンボル以外のシンボルは、ダウンリンクデータを送信するために用いられ、ここで、第１の予め設定された数の連続するシンボルは、時間的順序で最初に配置された第１の予め設定された数のシンボルであり、又は第１の予め設定された数の連続するシンボルは、時間的順序で最後に配置された第１の予め設定された数のシンボルである。図９（ａ）は、第２種サブフレームを示す。第１の予め設定された数の連続するシンボルは時間的順序で最初に配置された１つのシンボルであることを仮定し、すなわち、図９（ａ）における第１シンボルが、ダウンリンク制御チャネルを送信するために用いられ、図９（ａ）における第１シンボル以外のダウンリンクチャネルにおけるシンボルが、ダウンリンクデータを送信するために用いられる。
【０１１６】
あるいは、第１種サブフレームのダウンリンクチャネルにおける第１周波数帯域セット、又は第２種サブフレームのダウンリンクチャネルにおける第１周波数帯域セットは、ダウンリンクデータを送信するために用いられ、第１種サブフレームのダウンリンクチャネルにおける第２周波数帯域セット、又は第２種サブフレームのダウンリンクチャネルにおける第２周波数帯域セットは、ダウンリンク制御チャネルを送信するために用いられる。第１種サブフレームのダウンリンクチャネルにおける第２周波数帯域セットは、第１種サブフレームのダウンリンクチャネルの周波数帯域のうちの第１種サブフレームのダウンリンクチャネルにおける第１周波数帯域セット以外の周波数帯域であり、第２種サブフレームのダウンリンクチャネルにおける第２周波数帯域セットは、第２種サブフレームのダウンリンクチャネルの周波数帯域のうちの第２種サブフレームのダウンリンクチャネルにおける第１周波数帯域セット以外の周波数帯域である。すなわち、第１種サブフレームのダウンリンクチャネルにおける第１周波数帯域セット及び第２周波数帯域セットは、第１種サブフレームのダウンリンクチャネルの周波数帯域全体を構成し、第２種サブフレームのダウンリンクチャネルにおける第１周波数帯域セット及び第２周波数帯域セットは、第２種サブフレームのダウンリンクチャネルの周波数帯域全体を構成する。図９（ｂ）は、第２種サブフレームを示す。図９（ｂ）のダウンリンクチャネルにおける第１周波数帯域セットは、ダウンリンクデータを送信するために用いられ、図９（ｂ）のダウンリンクチャネルにおける第２周波数帯域セットは、ダウンリンク制御チャネルを送信するために用いられる。
【０１１７】
あるいは、第１種サブフレームのダウンリンクチャネルにおける第１の予め設定された数の連続するシンボル、又は第２種サブフレームのダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボルの第３周波数帯域セット、又は第２種サブフレームのダウンリンクチャネルにおける、第１の予め設定された数のシンボル以外のシンボルの第３周波数帯域セットは、ダウンリンクデータを送信するために用いられ、第１種サブフレームのダウンリンクチャネルにおける、第１の予め設定された数のシンボル以外のシンボルの第４周波数帯域セット、又は第２種サブフレームのダウンリンクチャネルにおける、第１の予め設定された数のシンボル以外のシンボルの第４周波数帯域セットも、ダウンリンク制御チャネルを送信するために用いられる。説明の簡易さのために、第１種サブフレームのダウンリンクチャネルにおける、第１の予め設定された数のシンボル以外のシンボル、又は第２種サブフレームのダウンリンクチャネルにおける、第１の予め設定された数のシンボル以外のシンボルは、第１残余ダウンリンクシンボルと称される。第１残余ダウンリンクシンボルにおける第４周波数帯域セットは、第１残余ダウンリンクシンボルの周波数帯域のうちの第１残余ダウンリンクシンボルの第３周波数帯域セット以外の周波数帯域であり、すなわち、第１残余ダウンリンクシンボルにおける第３周波数帯域セット及び第４周波数帯域セットは、第１残余ダウンリンクシンボルの周波数帯域全体を構成する。図９（ｃ）は、第２種サブフレームを示す。第１の予め設定された数の連続するシンボルが時間的順序で最初に配置された１つのシンボルであることを仮定し、すなわち、図９（ｃ）の第１シンボルは、ダウンリンク制御チャネルを送信するために用いられ、図９（ｃ）の第１シンボル以外のダウンリンクチャネルにおけるシンボルは第１残余ダウンリンクシンボルであり、第１残余ダウンリンクシンボルにおける第３周波数帯域セットはダウンリンクデータを送信するために用いられ、第１残余ダウンリンクシンボルにおける第４周波数帯域セットは、ダウンリンク制御チャネルを送信するために用いられる。
【０１１８】
第３種サブフレーム及び第４種サブフレームの具体的な構造は以下の通りであり得る。第３種サブフレームのアップリンクチャネルにおける第２の予め設定された数の連続するシンボル、又は第４種サブフレームのアップリンクチャネルにおける第２の予め設定された数連続するシンボルは、アップリンク制御チャネルを送信するために用いられ、第３種サブフレームのアップリンクチャネルにおける、第２の予め設定された数のシンボル以外のシンボル、又は第４種サブフレームのアップリンクチャネルにおける、第２の予め設定された数のシンボル以外のシンボルは、アップリンクデータを送信するために用いられ、ここで、第２の予め設定された数の連続するシンボルは、時間的順序で最初に配置された第２の予め設定された数のシンボルであり、又は第２の予め設定された数の連続するシンボルは、時間的順序で最後に配置された第２の予め設定された数のシンボルである。図１０（ａ）は、第４種サブフレームを示す。第２の予め設定された数の連続するシンボルが時間的順序で最初に配置された１つのシンボルであることを仮定し、すなわち、図１０（ａ）のアップリンクチャネルにおける第１シンボルは、アップリンク制御チャネルを送信するために用いられ、アップリンクチャネルにおける図１０（ａ）の第１シンボル以外のシンボルは、アップリンクデータを送信するために用いられる。
【０１１９】
あるいは、第３種サブフレームのアップリンクチャネルにおける第１周波数帯域セット、又は第４種サブフレームのアップリンクチャネルにおける第１周波数帯域セットは、アップリンクデータを送信するために用いられ、第３種サブフレームのアップリンクチャネルにおける第２周波数帯域セット、又は第４種サブフレームのアップリンクチャネルにおける第２周波数帯域セットは、アップリンク制御チャネルを送信するために用いられる。第３種サブフレームのアップリンクチャネルにおける第２周波数帯域セットは、第３種サブフレームのアップリンクチャネルの周波数帯域のうちの第３種サブフレームのアップリンクチャネルにおける第１周波数帯域セット以外の周波数帯域であり、第４種サブフレームのアップリンクチャネルにおける第２周波数帯域セットは、第４種サブフレームのアップリンクチャネルの周波数帯域のうちの第４種サブフレームのアップリンクチャネルにおける第１周波数帯域セット以外の周波数帯域である。すなわち、第３種サブフレームのアップリンクチャネルにおける第１周波数帯域セット及び第２周波数帯域セットは、第３種サブフレームの周波数帯域全体を構成し、第４種サブフレームのアップリンクチャネルにおける第１周波数帯域セット及び第２周波数帯域セットは、第４種サブフレームの周波数帯域全体を構成する。図１０（ｂ）は、第４種サブフレームを示す。図１０（ｂ）のアップリンクチャネルにおける第１周波数帯域セットは、アップリンクデータを送信するために用いられ、図１０（ｂ）のアップリンクチャネルにおける第２周波数帯域セットは、アップリンク制御チャネルを送信するために用いられる。
【０１２０】
あるいは、第３種サブフレームのアップリンクチャネルにおける第２の予め設定された数の連続するシンボル、又は第４種サブフレームのアップリンクチャネルにおける第２の予め設定された数の連続するシンボルは、アップリンク制御チャネルを送信するために用いられ、第３種サブフレームのアップリンクチャネルにおける、第２の予め設定された数のシンボル以外のシンボルの第３周波数帯域セット、又は第４種サブフレームのアップリンクチャネルにおける、第２の予め設定された数のシンボル以外のシンボルの第３周波数帯域セットは、アップリンクデータを送信するために用いられ、第３種サブフレームのアップリンクチャネルにおける、第２の予め設定された数のシンボル以外のシンボルの第４周波数帯域セット、又は第４種サブフレームのアップリンクチャネルにおける、第２の予め設定された数のシンボル以外のシンボルの第４周波数帯域セットは、アップリンク制御チャネルを送信するために用いられる。説明の簡易さのために、第３種サブフレームのアップリンクチャネルにおける、第２の予め設定された数のシンボル以外のシンボル、又は第４種サブフレームのアップリンクチャネルにおける、第２の予め設定された数のシンボル以外のシンボルは、第１残余アップリンクシンボルと称される。第１残余アップリンクシンボルにおける第４周波数帯域セットは、第１残余アップリンクシンボルの周波数帯域のうちの第１残余アップリンクシンボルにおける第３周波数帯域セット以外の周波数帯域であり、すなわち、第１残余アップリンクシンボルにおける第３周波数帯域セット及び第４周波数帯域セットは、第１残余アップリンクシンボルの周波数帯域全体を構成する。図１０（ｃ）は、第４種サブフレームを示す。第２の予め設定された数の連続するシンボルは、時間的順序で最初に配置された１つのシンボルであることを仮定し、すなわち、図１０（ｃ）のアップリンクチャネルにおける第１シンボルは、アップリンク制御チャネルを送信するために用いられ、図１０（ｃ）の第１シンボル以外のアップリンクチャネルにおけるシンボルは、第１残余アップリンクシンボルであり、第１残余アップリンクシンボルにおける第３周波数帯域セットは、アップリンクデータを送信するために用いられ、第１残余アップリンクシンボルにおける第４周波数帯域セットは、アップリンク制御チャネルを送信するために用いられる。
【０１２１】
第１の予め設定された数は事前に設定され、第１の予め設定された数は、第１種サブフレームのダウンリンクチャネルにおけるシンボルの数より小さく、又は、第１の予め設定された数は、第２種サブフレームのダウンリンクチャネルにおけるシンボルの数より小さく、第１の予め設定された数は、１、２、又は３などであってよい。このことは、本願発明のこの実施形態において具体的に限定されない。同様に、第２の予め設定された数も事前に設定され、第２の予め設定された数は第３種サブフレームのアップリンクチャネルにおけるシンボルの数より小さく、又は第２の予め設定された数は、第４種サブフレームのアップリンクチャネルにおけるシンボルの数より小さく、第２の予め設定された数も、１、２、又は３などであってよい。第１の予め設定された数及び第２の予め設定された数は、等しくてよく、又は等しくなくてよい。このことも、本願発明のこの実施形態において具体的に限定されない。
【０１２２】
加えて、本願発明のこの実施形態に関するサブフレームの構造図において、横方向は、時間を示しており、縦方向は周波数を示している。従って、第１種サブフレームのダウンリンクチャネルにおける第１周波数帯域セット及び第２周波数帯域セットは、第１種サブフレームのダウンリンクチャネルの周波数帯域における任意の周波数位置に位置してよい。好ましくは、第１種サブフレームのダウンリンクチャネルにおける第１周波数帯域セットは、第１種サブフレームのダウンリンクチャネルの周波数帯域にあって、第１種サブフレームのダウンリンクチャネルの最大周波数と第１周波数値分異なる周波数帯域と、第１種サブフレームのダウンリンクチャネルの周波数帯域にあって、第１種サブフレームのダウンリンクチャネルの最小周波数と第２周波数値分異なる周波数帯域とを含んでよく、第１種サブフレームのダウンリンクチャネルにおける第２周波数帯域セットは、第１種サブフレームのダウンリンクチャネルの周波数帯域にあり、第１周波数帯域以外の周波数帯域を含んでよい。このように、第１種サブフレームのダウンリンクチャネルにおける第１周波数帯域セットは、第１種サブフレームのダウンリンクチャネルの帯域幅の両側に位置し、すなわち、第１種サブフレームのダウンリンクチャネルにおける第１周波数帯域セットは、第１種サブフレームのダウンリンクチャネルの高周波数帯域及び第１種サブフレームのダウンリンクチャネルの低周波数帯域を含む。このように、高周波数帯域及び低周波数帯域の両方を用いてダウンリンク制御チャネルを制御するとき、高周波数帯域及び低周波数帯域において両方とも送信失敗の確率が比較的低く、これにより、ダウンリンク制御チャネルの送信成功率が向上し、周波数ダイバーシティ利得も向上する。同様に、第２種サブフレームのダウンリンクチャネルにおける第１周波数帯域セット及び第２周波数帯域セットの設計、第３種サブフレームのアップリンクチャネルにおける第１周波数帯域セット及び第２周波数帯域セットの設計、及び第４種サブフレームのアップリンクチャネルにおける第１周波数帯域セット及び第２周波数帯域セットの設計は、第１種サブフレームのダウンリンクチャネルにおける第１周波数帯域セット及び第２周波数帯域セットの設計に類似しており、その詳細は、本願発明のこの実施形態において再びここで説明されない。
【０１２３】
加えて、ダウンリンク制御チャネルが図９（ｃ）の方式において送信されるとき、ダウンリンク制御チャネルの送信成功率はさらに向上することができ、周波数ダイバーシティ利得もさらに向上する。同様に、第１残余ダウンリンクシンボルにおける第３周波数帯域セット及び第４周波数帯域セットの設計と、第１残余アップリンクシンボルにおける第３周波数帯域セット及び第４周波数帯域セットの設計とが、第１種サブフレームのダウンリンクチャネルにおける第１周波数帯域セット及び第２周波数帯域セットの設計に類似しており、その詳細は、本願発明のこの実施形態において再びここで説明されない。
【０１２４】
本願発明のこの実施形態において、ダウンリンク制御チャネルは、通常のダウンリンク制御チャネルであってよく、又は強化型ダウンリンク制御チャネルであってよい。このことは、本願発明のこの実施形態において具体的に限定されない。加えて、本願発明のこの実施形態に関するシンボルは、ＯＦＤＭシンボルであってよく、又はＳＣ−ＦＤＭＡシンボル、単一搬送波シンボル、又は同様のものであってよい。このことも本願発明のこの実施形態において具体的に限定されない。
【０１２５】
任意選択的に、第１種サブフレームにより送信されるデータがダウンリンク制御チャネル及びダウンリンクデータを含み、第１種サブフレームがアップリンク制御チャネルを含まない場合、第１種サブフレームのアップリンク制御チャネル及びダウンリンクチャネルにより占有される時間及び周波数リソースは、第１種サブフレームの新しいダウンリンクチャネルを形成し、又は、第２種サブフレームにより送信されるデータがダウンリンク制御チャネル及びダウンリンクデータを含み、第２種サブフレームがアップリンク制御チャネルを含まない場合、ガード期間は、第２種サブフレームのアップリンク制御チャネルとダウンリンクチャネルとの間に含まれず、第２種サブフレームのダウンリンクチャネル及びガード期間により占有される時間及び周波数リソースは、ダウンリンクデータを送信するために用いられ、第２種サブフレームのアップリンク制御チャネル、ダウンリンクチャネル、及びガード期間により占有される時間及び周波数リソースは、第２種サブフレームの新しいダウンリンクチャネルを形成し、第１種サブフレーム及び第２種サブフレームにおいて新しいダウンリンクチャネルのみが存在する。この場合、第１種サブフレームの構造及び第２種サブフレームの構造は同じである。
【０１２６】
第１種サブフレームについて、第１種サブフレームの具体的な構造は、以下の通りであり得る。第１種サブフレームの新しいダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボルは、ダウンリンクデータを送信するために用いられ、ここで、第１種サブフレームの新しいダウンリンクチャネルにおける第１の予め設定された数の連続するシンボルは、時間的順序で最初に配置された第１の予め設定された数のシンボルであり、又は、第１種サブフレームのダウンリンクチャネルにおける第１の予め設定された数の連続するシンボルは、時間的順序で最後に配置された第１の予め設定された数のシンボルである。図１１（ａ）は、第１種サブフレームを示す。第１種サブフレームの新しいダウンリンクチャネルにおける第１の予め設定された数の連続するシンボルは、時間的順序で最初に配置された１つのシンボルであり、すなわち、図１１（ａ）の第１シンボルであり、第１シンボルは、ダウンリンク制御チャネルを送信するために用いられ、図１１（ａ）の第１シンボル以外のシンボルは、ダウンリンクデータを送信するために用いられる。
【０１２７】
あるいは、第１種サブフレームの新しいダウンリンクチャネルにおける第５周波数帯域セットがダウンリンクデータを送信するために用いられ、第１種サブフレームの新しいダウンリンクチャネルにおける第６周波数帯域セットがダウンリンク制御チャネルを送信するために用いられる。第１種サブフレームの新しいダウンリンクチャネルにおける第６周波数帯域セットは、第１種サブフレームの新しいダウンリンクチャネルの周波数帯域のうちの第１種サブフレームの新しいダウンリンクチャネルにおける第５周波数帯域セット以外の周波数帯域であり、すなわち、第１種サブフレームの新しいダウンリンクチャネルにおける第５周波数帯域セット及び第６周波数帯域セットは、第１種サブフレームの新しいダウンリンクチャネルの周波数帯域全体を構成する。図１１（ｂ）は、第１種サブフレームを示す。
【０１２８】
あるいは、第１種サブフレームの新しいダウンリンクチャネルにおける第１の予め設定された数の連続するシンボルは、ダウンリンク制御チャネルを送信するために用いられ、第１種サブフレームの新しいダウンリンクチャネルにおける、第１の予め設定された数のシンボル以外のシンボルの第７周波数帯域セットが、ダウンリンクデータを送信するために用いられ、第１種サブフレームの新しいダウンリンクチャネルにおける、第１の予め設定された数のシンボル以外のシンボルの第８周波数帯域セットが、ダウンリンク制御チャネルを送信するために用いられる。説明の簡易さのために、第１種サブフレームの新しいダウンリンクチャネルにおける、第１の予め設定された数のシンボル以外のシンボルは、第２残余ダウンリンクシンボルと称され、第２残余ダウンリンクシンボルにおける第８周波数帯域セットは、第２残余ダウンリンクシンボルの周波数帯域のうちの第２残余ダウンリンクシンボルにおける第７周波数帯域セット以外の周波数帯域であり、すなわち、第２残余ダウンリンクシンボルにおける第７周波数帯域セット及び第８周波数帯域セットは、第２残余ダウンリンクシンボルの周波数帯域全体を構成する。図１１（ｃ）は、第１種サブフレームを示す。第１種サブフレームの新しいダウンリンクチャネルにおける第１の予め設定された数の連続するシンボルは、時間的順序で最初に配置された１つのシンボルであり、すなわち、図１１（ｃ）の第１シンボルであり、第１シンボルは、ダウンリンク制御チャネルを送信するために用いられ、図１１（ｃ）の第１シンボル以外のシンボルは、第２残余ダウンリンクシンボルであり、第２残余ダウンリンクシンボルにおける第７周波数帯域は、ダウンリンクデータを送信するために用いられ、第２残余ダウンリンクシンボルにおける第８周波数帯域は、ダウンリンク制御チャネルを送信するために用いられる。
【０１２９】
任意選択的に、第３種サブフレームにより送信されるデータがアップリンク制御チャネル及びアップリンクデータを含み、第３種サブフレームがダウンリンク制御チャネルを含まない場合、第３種サブフレームのダウンリンク制御チャネル及びアップリンクチャネルにより占有される時間及び周波数リソースは、第３種サブフレームの新しいアップリンクチャネルを形成し、又は、第４種サブフレームにより送信されるデータがアップリンク制御チャネル及びアップリンクデータを含み、第４種サブフレームがダウンリンク制御チャネルを含まない場合、ガード期間は、第４種サブフレームのダウンリンク制御チャネルとアップリンクチャネルとの間に含まれず、第４種サブフレームのダウンリンク制御チャネル、アップリンクチャネル、及びガード期間により占有される時間及び周波数リソースは、第４種サブフレームの新しいアップリンクチャネルを形成し、第３種サブフレーム及び第４種サブフレームにおいて新しいアップリンクチャネルのみが存在する。この場合、第３種サブフレーム及び第４種サブフレームの構造は同じである。
【０１３０】
第３種サブフレームについて、第３種サブフレームの具体的な構造は以下の通りであり得る。第３種サブフレームの新しいアップリンクチャネルいおける第２の予め設定された数の連続するシンボルは、アップリンク制御チャネルを送信するために用いられ、第３種サブフレームの新しいアップリンクチャネルにおける、第２の予め設定された数のシンボル以外のシンボルは、アップリンクデータを送信するために用いられ、ここで、第３種サブフレームの新しいアップリンクチャネルにおける第２の予め設定された数の連続するシンボルは、時間的順序で最初に配置された第２の予め設定された数のシンボルであり、又は、第２の予め設定された数の連続するシンボルは、時間的順序で最後に配置された第２の予め設定された数のシンボルである。図１２（ａ）に示されているように、第３種サブフレームの新しいアップリンクチャネルにおける第２の予め設定された数の連続するシンボルは、時間的順序で最初に配置された１つのシンボルであり、すなわち、図１２（ａ）の第１シンボルであり、第１シンボルは、アップリンク制御チャネルを送信するために用いられ、第１シンボル以外のシンボルは、アップリンクデータを送信するために用いられる。
【０１３１】
あるいは、第３種サブフレームの新しいアップリンクチャネルにおける第５周波数帯域セットがアップリンクデータを送信するために用いられ、第３種サブフレームの新しいアップリンクチャネルにおける第６周波数帯域セットがアップリンク制御チャネルを送信するために用いられる。第３種サブフレームの新しいアップリンクチャネルにおける第６周波数帯域セットは、第３種サブフレームの新しいアップリンクチャネルの周波数帯域のうちの第３種サブフレームの新しいアップリンクチャネルにおける第５周波数帯域セット以外の周波数帯域であり、すなわち、第３種サブフレームの新しいアップリンクチャネルにおける第５周波数帯域セット及び第６周波数帯域セットは、第３種サブフレームの新しいアップリンクチャネルの周波数帯域全体を構成する。図１２（ｂ）は、第３種サブフレームを示す。
【０１３２】
あるいは、第３種サブフレームの新しいアップリンクチャネルにおける第２の予め設定された数の連続するシンボルがアップリンク制御チャネルを送信するために用いられ、第３種サブフレームの新しいアップリンクチャネルにおける、第２の予め設定された数のシンボル以外の第７周波数帯域セットは、アップリンクデータを送信するために用いられ、第３種サブフレームの新しいアップリンクチャネルにおける、第２の予め設定された数のシンボル以外の第８周波数帯域セットは、アップリンク制御チャネルを送信するために用いられる。説明の簡易さのために、第３種サブフレームの新しいアップリンクチャネルにおける、第２の予め設定された数のシンボル以外のシンボルは、第２残余アップリンクシンボルと称され、第２残余アップリンクシンボルにおける第８周波数帯域セットは、第２残余アップリンクシンボルの周波数帯域のうちの第２残余アップリンクシンボルにおける第７周波数帯域セット以外の周波数帯域であり、すなわち、第２残余アップリンクシンボルにおける第７周波数帯域セット及び第８周波数帯域セットは、第２残余アップリンクシンボルの周波数帯域全体を構成する。図１２（ｃ）は、第３種サブフレームを示す。第３種サブフレームの新しいアップリンクチャネルにおける第２の予め設定された数の連続するシンボルは、時間的順序で最初に配置された１つのシンボルであり、すなわち、図１２（ｃ）の第１シンボルであり、第１シンボル以外のシンボルは、第２残余アップリンクシンボルであり、第１シンボルは、アップリンク制御チャネルを送信するために用いられ、第２残余アップリンクシンボルにおける第７周波数帯域セットがアップリンクデータを送信するために用いられ、第２残余アップリンクシンボルにおける第８周波数帯域セットがアップリンク制御チャネルを送信するために用いられる。
【０１３３】
図１１に示されている第１種サブフレームにおいて、アップリンク送信とダウンリンク送信との間の切り替えが存在しないことが、留意されるべきである。従って、第１種サブフレームにガード期間が存在しない。同様に、図１２に示されている第３種サブフレームにおいて、アップリンク送信とダウンリンク送信との間の切り替えも存在しない。従って、第３種サブフレームにもガード期間が存在しない。加えて、第１種サブフレームの新しいダウンリンクチャネルにおける第５周波数帯域セット及び第６周波数帯域セットの設計は、上で説明された第１種サブフレームのダウンリンクチャネルにおける第１周波数帯域セット及び第２周波数帯域セットの設計に類似しており、その詳細は、本願発明のこの実施形態において再びここで説明されない。第２種サブフレームの新しいダウンリンクチャネルにおける第５周波数帯域セット及び第６周波数帯域セットと、第３種サブフレームの新しいアップリンクチャネルにおける第５周波数帯域セット及び第６周波数帯域セットの設計と、第４種サブフレームの新しいアップリンクチャネルにおける第５周波数帯域セット及び第６周波数帯域セットの設計とは、上で説明された第１種サブフレームの新しいダウンリンクチャネルにおける第１周波数帯域セット及び第２周波数帯域セットの設計に類似しており、その詳細も、本願発明のこの実施形態において再びここで説明されない。同様に、第７周波数帯域セット及び第８周波数帯域セットの設計がそれらに類似しており、その詳細は、本願発明のこの実施形態において再びここで説明されない。
【０１３４】
本願発明のこの実施形態において、データ送信のための第１サブフレームの種類が決定され、ここで、第１サブフレームの種類は、第１種サブフレーム、第２種サブフレーム、第３種サブフレーム、又は第４種サブフレームである。第１種サブフレームのアップリンク制御チャネルは、第１種サブフレームのダウンリンクチャネルの前に位置し、第１種サブフレームのアップリンク制御チャネルと第１種サブフレームのダウンリンクチャネルとの間にガード期間が含まれず、これにより、切り替えの回数を減らし、さらにガード期間の数を減らす。第２種サブフレームのアップリンク制御チャネルは、第２種サブフレームのダウンリンクチャネルの後に位置し、第２種サブフレームのアップリンク制御チャネルと第２種サブフレームのダウンリンクチャネルとの間にガード期間が存在し、アップリンク送信とダウンリンク送信との間の切り替えが一回のみ実行され、これにより、切り替えの回数を減らし、さらにガード期間の数を減らす。第３種サブフレームのアップリンクチャネルは第３種サブフレームのダウンリンク制御チャネルの前に位置し、第３種サブフレームのアップリンクチャネルと第３種サブフレームのダウンリンク制御チャネルとの間にガード期間が含まれず、これにより、切り替えの回数を減らし、さらにガード期間の数を減らす。第４種サブフレームのアップリンクチャネルは、第４種サブフレームのダウンリンク制御チャネルの後に位置し、第４種サブフレームのアップリンクチャネルと第４種サブフレームのダウンリンク制御チャネルとの間にガード期間が存在し、アップリンク送信とダウンリンク送信との間の切り替えが一回のみ実行され、これにより、切り替えの回数を減らし、さらにガード期間の数を減らす。このように、無線リソースの利用率が向上する。
【０１３５】
図１３は、本願発明の実施形態に係るデータ送信デバイスの模式的構造図である。図１３を参照すると、デバイスは、データ送信のための第１サブフレームの種類を決定するよう構成される決定モジュール１３０１であって、第１サブフレームの種類は第１種サブフレーム、第２種サブフレーム、第３種サブフレーム、又は第４種サブフレームであり、第１種サブフレームはアップリンク制御チャネル及びダウンリンクチャネルを含み、第１種サブフレームのアップリンク制御チャネルは第１種サブフレームのダウンリンクチャネルの前に位置し、第２種サブフレームはアップリンク制御チャネル及びダウンリンクチャネルを含み、第２種サブフレームのアップリンク制御チャネルは第２種サブフレームのダウンリンクチャネルの後に位置し、第２種サブフレームのアップリンク制御チャネルと第２種サブフレームのダウンリンクチャネルとの間にガード期間が存在し、第３種サブフレームはアップリンクチャネル及びダウンリンク制御チャネルを含み、第３種サブフレームのアップリンクチャネルは、第３種サブフレームのダウンリンク制御チャネルの前に位置し、第４種サブフレームはアップリンクチャネル及びダウンリンク制御チャネルを含み、第４種サブフレームのアップリンクチャネルは、第４種サブフレームのダウンリンク制御チャネルの後に位置し、第４種サブフレームのアップリンクチャネルと第４種サブフレームのダウンリンク制御チャネルとの間にガード期間が存在する、決定モジュール１３０１と、第１サブフレームの決定された種類に従って、第１サブフレームにおいてデータを送信するよう構成される第１送信モジュール１３０２とを備える。
【０１３６】
任意選択的に、デバイスは、第１サブフレームの後の第２サブフレームにおいてデータを送信するよう構成される第２送信モジュールであって、第２サブフレームは、第１サブフレームに隣接する、第２送信モジュールをさらに備え、第２サブフレームの開始時点におけるデータ送信方向が第１サブフレームの終了時点におけるデータ送信方向と異なる場合、第１サブフレームと第２サブフレームとの間にガード期間がさらに含まれ、第２サブフレームの開始時点におけるデータ送信方向が第１サブフレームの終了時点におけるデータ送信方向と同じである場合、第１サブフレームと第２サブフレームとの間に時間間隔が含まれない。
【０１３７】
任意選択的に、デバイスは、第１サブフレームの後の第２サブフレームにおいてデータを送信するよう構成される第２送信モジュールであって、第２サブフレームは第１サブフレームに隣接する、第２送信モジュールをさらに備え、第２サブフレームの開始時点におけるデータ送信方向がアップリンクであり、第１サブフレームの終了時点におけるデータ送信方向がダウンリンクである場合、第１サブフレームと第２サブフレームとの間にガード期間がさらに含まれる。
【０１３８】
任意選択的に、決定モジュール１３０１は、第１の予め設定された周期に従って、第１サブフレームの種類が第１種サブフレーム又は第２種サブフレームであるかを決定するよう構成される第１決定モジュール、又は、第２の予め設定された周期に従って、第１サブフレームの種類が第３種サブフレーム又は第４種サブフレームであるかを決定するよう構成される第２決定モジュールを含む。
【０１３９】
任意選択的に、第１の予め設定された周期に従って、第１サブフレームの種類が第１種サブフレーム又は第２種サブフレームであると決定されたとき、第１サブフレームは、同期信号、ブロードキャスト信号、又はディスカバリ参照信号のうちの１つ又はそれらの組み合わせを送信するために用いられ、ここで、ブロードキャスト信号は、第１の予め設定された周期及び／又は第２の予め設定された周期に関する情報を保持するために用いられる。
【０１４０】
任意選択的に、第１の予め設定された周期及び第２の予め設定された周期が同じであるとき、ブロードキャスト信号は、第１の予め設定された周期又は第２の予め設定された周期を示し、ブロードキャスト信号は、第１の予め設定された周期と第２の予め設定された周期との間のオフセットをさらに示し、オフセットは、第１の予め設定された周期及び第２の予め設定された周期に対応するサブフレーム間のサブフレームナンバーの差を示すために用いられる。
【０１４１】
任意選択的に、第１サブフレームのアップリンク制御チャネル又はダウンリンク制御チャネルは、指示情報を保持し、指示情報は、第１サブフレームの後の第ｋサブフレームのサブフレーム種類を示すために用いられ、ｋは正の整数である。
【０１４２】
任意選択的に、第１種サブフレームのダウンリンクチャネルにおける第１の予め設定された数の連続するシンボル、又は第２種サブフレームのダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボル、又は第２種サブフレームのダウンリンクチャネルにおける、第１の予め設定された数のシンボル以外のシンボルは、ダウンリンクデータを送信するために用いられ、ここで、第１の予め設定された数の連続するシンボルは、時間的順序で最初に配置された第１の予め設定された数のシンボルであり、又は第１の予め設定された数の連続するシンボルは、時間的順序で最後に配置された第１の予め設定された数のシンボルである。
【０１４３】
任意選択的に、第１種サブフレームのダウンリンクチャネルにおける第１周波数帯域セット、又は第２種サブフレームのダウンリンクチャネルにおける第１周波数帯域セットは、ダウンリンクデータを送信するために用いられ、第１種サブフレームのダウンリンクチャネルにおける第２周波数帯域セット、又は第２種サブフレームのダウンリンクチャネルにおける第２周波数帯域セットは、ダウンリンク制御チャネルを送信するために用いられる。
【０１４４】
任意選択的に、第１種サブフレームのダウンリンクチャネルにおける第１の予め設定された数の連続するシンボル、又は第２種サブフレームのダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボルの第３周波数帯域セット、又は第２種サブフレームのダウンリンクチャネルにおける、第１の予め設定された数のシンボル以外のシンボルの第３周波数帯域セットは、ダウンリンクデータを送信するために用いられ、第１種サブフレームのダウンリンクチャネル又は第２種サブフレームのダウンリンクチャネルにおける、第１の予め設定された数のシンボル以外のシンボルの第４周波数帯域セット、又は第２種サブフレームのダウンリンクチャネルにおける、第１の予め設定された数のシンボル以外のシンボルの第４周波数帯域セットは、ダウンリンク制御チャネルを送信するために用いられる。
【０１４５】
任意選択的に、第３種サブフレームのアップリンクチャネルにおける第２の予め設定された数の連続するシンボル、又は第４種サブフレームのアップリンクチャネルにおける第２の予め設定された数の連続するシンボルは、アップリンク制御チャネルを送信するために用いられ、第３種サブフレームのアップリンクチャネルにおける、第２の予め設定された数のシンボル以外のシンボル、又は第４種サブフレームのアップリンクチャネルにおける、第２の予め設定された数のシンボル以外のシンボルは、アップリンクデータを送信するために用いられ、ここで、第２の予め設定された数の連続するシンボルは、時間的順序で最初に配置された第２の予め設定された数のシンボルであり、又は第２の予め設定された数の連続するシンボルは、時間的順序で最後に配置された第２の予め設定された数のシンボルである。
【０１４６】
任意選択的に、第３種サブフレームのアップリンクチャネルにおける第１周波数帯域セット、又は第４種サブフレームのアップリンクチャネルにおける第１周波数帯域セットは、アップリンクデータを送信するために用いられ、第３種サブフレームのアップリンクチャネルにおける第２周波数帯域セット、又は第４種サブフレームのアップリンクチャネルにおける第２周波数帯域セットは、アップリンク制御チャネルを送信するために用いられる。
【０１４７】
任意選択的に、第３種サブフレームのアップリンクチャネルにおける第２の予め設定された数の連続するシンボル、又は第４種サブフレームのアップリンクチャネルにおける第２の予め設定された数の連続するシンボルは、アップリンク制御チャネルを送信するために用いられ、第３種サブフレームのアップリンクチャネルにおける、第２の予め設定された数おシンボル以外のシンボルの第３周波数帯域セット、又は第４種サブフレームのアップリンクチャネルにおける、第２の予め設定された数のシンボル以外のシンボルの第３周波数帯域セットは、アップリンクデータを送信するために用いられ、第３種サブフレームのアップリンクチャネルにおける、第２の予め設定された数のシンボル以外のシンボルの第４周波数帯域セット、又は第４種サブフレームのアップリンクチャネルにおける、第２の予め設定された数のシンボル以外のシンボルの第４周波数帯域セットは、アップリンク制御チャネルを送信するために用いられる。
【０１４８】
本願発明のこの実施形態において、データ送信のための第１サブフレームの種類が決定され、ここで、第１サブフレームの種類は、第１種サブフレーム、第２種サブフレーム、第３種サブフレーム、又は第４種サブフレームである。第１種サブフレームのアップリンク制御チャネルは第１種サブフレームのダウンリンクチャネルの前に位置し、第１種サブフレームのアップリンク制御チャネルと第１種サブフレームのダウンリンクチャネルとの間にガード期間が含まれず、これにより、切り替えの回数を減らし、さらにガード期間の数を減らす。第２種サブフレームのアップリンク制御チャネルは、第２種サブフレームのダウンリンクチャネルの後に位置し、第２種サブフレームのアップリンク制御チャネルと第２種サブフレームのダウンリンクチャネルとの間にガード期間が存在し、アップリンク送信とダウンリンク送信との間の切り替えが一回のみ実行され、これにより、切り替えの回数を減らし、さらにガード期間の数を減らす。第３種サブフレームのアップリンクチャネルは第３種サブフレームのダウンリンク制御チャネルの前に位置し、第３種サブフレームのアップリンクチャネルと第３種サブフレームのダウンリンク制御チャネルとの間にガード期間が含まれず、これにより、切り替えの回数を減らし、さらにガード期間の数を減らす。第４種サブフレームのアップリンクチャネルは第４種サブフレームのダウンリンク制御チャネルの後に位置し、第４種サブフレームのアップリンクチャネルと第４種サブフレームのダウンリンク制御チャネルとの間にガード期間が存在し、アップリンク送信とダウンリンク送信との間の切り替えは一回のみ実行され、これにより、切り替えの回数を減らし、さらにガード期間の数を減らす。このように、無線リソースの利用率は向上する。
【０１４９】
図１４は、本願発明の実施形態に係る別のデータ送信デバイスの模式的構造図である。図１４を参照すると、デバイスは、データ送信のための第１サブフレームの種類を決定するよう構成されるプロセッサ１４０１であって、第１サブフレームの種類は、第１種サブフレーム、第２種サブフレーム、第３種サブフレーム、又は第４種サブフレームであり、第１種サブフレームは、アップリンク制御チャネル及びダウンリンクチャネルを含み、第１種サブフレームのアップリンク制御チャネルは第１種サブフレームのダウンリンクチャネルの前に位置し、第２種サブフレームは、アップリンク制御チャネル及びダウンリンクチャネルを含み、第２種サブフレームのアップリンク制御チャネルは、第２種サブフレームのダウンリンクチャネルの後に位置し、第２種サブフレームのアップリンク制御チャネルと第２種サブフレームのダウンリンクチャネルとの間にガード期間が存在し、第３種サブフレームはアップリンクチャネル及びダウンリンク制御チャネルを含み、第３種サブフレームのアップリンクチャネルは、第３種サブフレームのダウンリンク制御チャネルの前に位置し、第４種サブフレームは、アップリンクチャネル及びダウンリンク制御チャネルを含み、第４種サブフレームのアップリンクチャネルは、第４種サブフレームのダウンリンク制御チャネルの後に位置し、第４種サブフレームのアップリンクチャネルと第４種サブフレームのダウンリンク制御チャネルとの間にガード期間が存存在する、プロセッサ１４０１と、第１サブフレームの決定された種類に従って、第１サブフレームにおいてデータを送信するよう構成される送信機１４０２とを備える。
【０１５０】
任意選択的に、デバイスは、第１サブフレームの後の第２サブフレームにおいてデータを送信するようさらに構成される送信機１４０２であって、第２サブフレームは第１サブフレームに隣接する、送信機１４０２をさらに備え、第２サブフレームの開始時点におけるデータ送信方向が第１サブフレームの終了時点におけるデータ送信方向と異なる場合、第１サブフレームと第２サブフレームとの間にガード期間がさらに含まれ、第２サブフレームの開始時点におけるデータ送信方向が第１サブフレームの終了時点におけるデータ送信方向と同じである場合、第１サブフレームと第２サブフレームとの間に時間間隔が含まれない。
【０１５１】
任意選択的に、デバイスは、第１サブフレームの後の第２サブフレームにおいてデータを送信するようさらに構成される送信機１４０２であって、第２サブフレームは第１サブフレームに隣接する、送信機１４０２をさらに備え、第２サブフレームの開始時点におけるデータ送信方向がアップリンクであり、第１サブフレームの終了時点におけるデータ送信方向がダウンリンクである場合、第１サブフレームと第２サブフレームとの間にガード期間がさらに含まれる。
【０１５２】
任意選択的に、プロセッサ１４０１は、第１の予め設定された周期に従って、第１サブフレームの種類が第１種サブフレーム又は第２種サブフレームであるかを決定するようさらに構成され、又は、プロセッサ１４０１は、第２の予め設定された周期に従って、第１サブフレームの種類が第３種サブフレーム又は第４種サブフレームであるかを決定するようさらに構成される。
【０１５３】
任意選択的に、第１の予め設定された周期に従って、第１サブフレームの種類が第１種サブフレーム又は第２種サブフレームであると決定されたとき、第１サブフレームは、同期信号、ブロードキャスト信号、又はディスカバリ参照信号のうちの１つ又はそれらの組み合わせを送信するために用いられ、ここで、ブロードキャスト信号は、第１の予め設定された周期及び／又は第２の予め設定された周期に関する情報を保持するために用いられる。
【０１５４】
任意選択的に、第１の予め設定された周期及び第２の予め設定された周期は同じであるとき、ブロードキャスト信号は、第１の予め設定された周期又は第２の予め設定された周期を示し、ブロードキャスト信号は、第１の予め設定された周期と第２の予め設定された周期との間のオフセットをさらに示し、オフセットは、第１の予め設定された周期及び第２の予め設定された周期に対応するサブフレーム間のサブフレームナンバーの差を示すために用いられる。
【０１５５】
任意選択的に、第１サブフレームのアップリンク制御チャネル又はダウンリンク制御チャネルは、指示情報を保持し、指示情報は、第１サブフレームの後の第ｋサブフレームのサブフレーム種類を示すために用いられ、ｋは正の整数である。
【０１５６】
任意選択的に、第１種サブフレームのダウンリンクチャネルにおける第１の予め設定された数の連続するシンボル、又は第２種サブフレームのダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボル、又は第２種サブフレームのダウンリンクチャネルにおける、第１の予め設定された数のシンボル以外のシンボルは、ダウンリンクデータを送信するために用いられ、ここで、第１の予め設定された数の連続するシンボルは時間的順序で最初に配置された第１の予め設定された数のシンボルであり、又は第１の予め設定された数の連続するシンボルは、時間的順序で最後に配置された第１の予め設定された数のシンボルである。
【０１５７】
任意選択的に、第１種サブフレームのダウンリンクチャネルにおける第１周波数帯域セット、又は第２種サブフレームのダウンリンクチャネルにおける第１周波数帯域セットは、ダウンリンクデータを送信するために用いられ、第１種サブフレームのダウンリンクチャネルにおける第２周波数帯域セット、又は第２種サブフレームのダウンリンクチャネルにおける第２周波数帯域セットは、ダウンリンク制御チャネルを送信するために用いられる。
【０１５８】
任意選択的に、第１種サブフレームのダウンリンクチャネルにおける第１の予め設定された数の連続するシンボル、又は第２種サブフレームのダウンリンクチャネルにおける第１の予め設定された数の連続するシンボルは、ダウンリンク制御チャネルを送信するために用いられ、第１種サブフレームのダウンリンクチャネルにおける、第１の予め設定された数のシンボル以外のシンボルの第３周波数帯域セット、又は第２種サブフレームのダウンリンクチャネルにおける、第１の予め設定された数のシンボル以外のシンボルの第３周波数帯域セットは、ダウンリンクデータを送信するために用いられ、第１種サブフレームのダウンリンクチャネル又は第２種サブフレームのダウンリンクチャネルにおける、第１の予め設定された数のシンボル以外のシンボルの第４周波数帯域セット、又は第２種サブフレームのダウンリンクチャネルにおける、第１の予め設定された数のシンボル以外のシンボルの第４周波数帯域セットは、ダウンリンク制御チャネルを送信するために用いられる。
【０１５９】
任意選択的に、第３種サブフレームのアップリンクチャネルにおける第２の予め設定された数の連続するシンボル、又は第４種サブフレームのアップリンクチャネルにおける第２の予め設定された数の連続するシンボルは、アップリンク制御チャネルを送信するために用いられ、第３種サブフレームのアップリンクチャネルにおける、第２の予め設定された数のシンボル以外のシンボル、又は第４種サブフレームのアップリンクチャネルにおける、第２の予め設定された数のシンボル以外のシンボルは、アップリンクデータを送信するために用いられ、ここで、第２の予め設定された数の連続するシンボルは、時間的順序で最初に配置された第２の予め設定された数のシンボルであり、又は第２の予め設定された数の連続するシンボルは、時間的順序で最後に配置された第２の予め設定された数のシンボルである。
【０１６０】
任意選択的に、第３種サブフレームのアップリンクチャネルにおける第１周波数帯域セット、又は第４種サブフレームのアップリンクチャネルにおける第１周波数帯域セットは、アップリンクデータを送信するために用いられ、第３種サブフレームのアップリンクチャネルにおける第２周波数帯域セット、又は第４種サブフレームのアップリンクチャネルにおける第２周波数帯域セットは、アップリンク制御チャネルを送信するために用いられる。
【０１６１】
任意選択的に、第３種サブフレームのアップリンクチャネルにおける第２の予め設定された数の連続するシンボル、又は第４種サブフレームのアップリンクチャネルにおける第２の予め設定された数の連続するシンボルは、アップリンク制御チャネルを送信するために用いられ、第３種サブフレームのアップリンクチャネルにおける、第２の予め設定された数のシンボル以外のシンボルの第３周波数帯域セット、又は第４種サブフレームのアップリンクチャネルにおける、第２の予め設定された数のシンボル以外のシンボルの第３周波数帯域セットは、アップリンクデータを送信するために用いられ、第３種サブフレームのアップリンクチャネルにおける、第２の予め設定された数のシンボル以外のシンボルの第４周波数帯域セット、又は第４種サブフレームのアップリンクチャネルにおける、第２の予め設定された数のシンボル以外のシンボルの第４周波数帯域セットは、アップリンク制御チャネルを送信するために用いられる。
【０１６２】
本願発明のこの実施形態において、データ送信のための第１サブフレームの種類が決定され、ここで、第１サブフレームの種類は、第１種サブフレーム、第２種サブフレーム、第３種サブフレーム、又は第４種サブフレームである。第１種サブフレームのアップリンク制御チャネルは、第１種サブフレームのダウンリンクチャネルの前に位置し、第１種サブフレームのアップリンク制御チャネルと第１種サブフレームのダウンリンクチャネルとの間にガード期間が含まれず、これにより、切り替えの回数を減らし、さらにガード期間の数を減らす。第２種サブフレームのアップリンク制御チャネルは、第２種サブフレームのダウンリンクチャネルの後に位置し、第２種サブフレームのアップリンク制御チャネルと第２種サブフレームのダウンリンクチャネルとの間にガード期間が存在し、アップリンク送信とダウンリンク送信との間の切り替えが一回のみ実行され、これにより、切り替えの回数を減らし、さらにガード期間の数を減らす。第３種サブフレームのアップリンクチャネルは、第３種サブフレームのダウンリンク制御チャネルの前に位置し、第３種サブフレームのアップリンクチャネルと第３種サブフレームのダウンリンク制御チャネルとの間にガード期間が含まれず、これにより、切り替えの回数を減らし、さらにガード期間の数を減らす。第４種サブフレームのアップリンクチャネルは、第４種サブフレームのダウンリンク制御チャネルの後に位置し、第４種サブフレームのアップリンクチャネルと第４種サブフレームのダウンリンク制御チャネルとの間にガード期間が存在し、アップリンク送信とダウンリンク送信との間の切り替えが一回のみ実行され、これにより、切り替えの回数を減らし、さらにガード期間の数を減らす。このように、無線リソースの利用率が向上する。
【０１６３】
当業者であれば、実施形態の段階の全て又はいくつかは、ハードウェア又は関連ハードウェアを命令するプログラムにより実装され得ることを理解するであろう。プログラムは、コンピュータ可読記憶媒体に格納されてよい。記憶媒体は、リードオンリーメモリ、磁気ディスク、又は光ディスクを含んでよい。
【０１６４】
前述の説明は、本願発明の実施形態の例に過ぎず、本願発明を制限することは意図されない。本願発明の趣旨及び原則から逸脱することなく成された如何なる変更、同等な置換、及び改良は、本願発明の保護範囲に含まれるものとする。
【図１】
2019165450.tif 000003
【図２】
2019165450.tif 000004
【図３】
2019165450.tif 000005
【図４】
2019165450.tif 000006
【図５】
2019165450.tif 000007
【図６】
2019165450.tif 000008
【図７】
2019165450.tif 000009
【図８】
2019165450.tif 000010
【図９】
2019165450.tif 000011
【図１０】
2019165450.tif 000012
【図１１】
2019165450.tif 000013
【図１２】
2019165450.tif 000014
【図１３】
2019165450.tif 000015
【図１４】
2019165450.tif 000016
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
データ送信方法であって、前記データ送信方法は、
ユーザ機器によって、サブフレームの１または複数のシンボルにおけるダウンリンクチャネルを受信する段階と、
前記ユーザ機器によって、前記サブフレームの１または複数のシンボルにおける前記ダウンリンクチャネルに応答する肯定応答／否定応答（ＡＣＫ／ＮＡＣＫ）フィードバックメッセージを送信する段階とを備え、
前記ＡＣＫ／ＮＡＣＫフィードバックメッセージを送信するための前記サブフレームの前記１または複数のシンボルは、前記ダウンリンクチャネルに関する前記１または複数のシンボルの後にくる、
データ送信方法。
【請求項２】
前記サブフレームにおけるシンボルは、直交周波数分割多重（ＯＦＤＭ）シンボルである、請求項１に記載の方法。
【請求項３】
前記方法はさらに、
前記ユーザ機器によって、基地局によって送られる指示情報を受信する段階を備え、前記指示情報は、アップリンク制御チャネルを送信するための前記サブフレームのシンボルが、ダウンリンクチャネルを送信するためのシンボルの後にくる、サブフレーム種類を示す、請求項１または２に記載の方法。
【請求項４】
前記方法はさらに、
前記ユーザ機器によって、時間ドメインにおいて前記サブフレームに隣接する別のサブフレームの１または複数のシンボルにおけるダウンリンク制御チャネルを受信する段階と、
前記ユーザ機器によって、前記別のサブフレームの１または複数のシンボルにおけるアップリンクチャネルを送信する段階とを備え、
アップリンクチャネルを送信するための前記別のサブフレームの前記１または複数のシンボルは、前記ダウンリンク制御チャネルの受信に関する前記別のサブフレームの前記１または複数のシンボルの後にくる、請求項１から３のいずれか一項に記載の方法。
【請求項５】
サブフレームの１または複数のシンボルにおけるダウンリンクチャネルを受信する受信機と、
前記サブフレームの１または複数のシンボルにおける前記ダウンリンクチャネルに応答する肯定応答／否定応答（ＡＣＫ／ＮＡＣＫ）フィードバックメッセージを送信する送信機と、を備えるユーザ機器であって、
前記ＡＣＫ／ＮＡＣＫフィードバックメッセージを送信する前記サブフレームの前記１または複数のシンボルは、前記ダウンリンクチャネルに関する前記１または複数のシンボルの後にくる、
ユーザ機器。
【請求項６】
前記サブフレームにおけるシンボルは、直交周波数分割多重（ＯＦＤＭ）シンボルである、請求項５に記載のユーザ機器。
【請求項７】
前記受信機はさらに、基地局によって送られる指示情報を受信し、前記指示情報は、アップリンク制御チャネルを送信するための前記サブフレームのシンボルが、ダウンリンクチャネルを送信するためのシンボルの後にくる、サブフレーム種類を示す、
請求項５または６に記載のユーザ機器。
【請求項８】
前記受信機は、時間ドメインにおいて前記サブフレームに隣接する別のサブフレームの１または複数のシンボルにおけるダウンリンク制御チャネルをさらに受信し、
前記送信機は、前記別のサブフレームの１または複数のシンボルにおけるアップリンクチャネルをさらに送信し、
アップリンクチャネルを送信するための前記別のサブフレームの前記１または複数のシンボルは、前記ダウンリンク制御チャネルの受信に関する前記別のサブフレームの前記１または複数のシンボルの後にくる、
請求項５から７のいずれか一項に記載のユーザ機器。
【請求項９】
サブフレームの１または複数のシンボルにおけるダウンリンクチャネルを受信する受信ユニットと、
前記サブフレームの１または複数のシンボルにおける前記ダウンリンクチャネルに応答する肯定応答／否定応答（ＡＣＫ／ＮＡＣＫ）フィードバックメッセージを送信する送信ユニットと、を備えるユーザ機器であって、
前記ＡＣＫ／ＮＡＣＫフィードバックメッセージを送信する前記サブフレームの前記１または複数のシンボルは、前記ダウンリンクチャネルに関する前記１または複数のシンボルの後にくる、
ユーザ機器。
【請求項１０】
前記サブフレームにおけるシンボルは、直交周波数分割多重（ＯＦＤＭ）シンボルである、請求項９に記載のユーザ機器。
【請求項１１】
前記受信ユニットはさらに、基地局によって送られる指示情報を受信し、前記指示情報は、アップリンク制御チャネルを送信するための前記サブフレームのシンボルが、ダウンリンクチャネルを送信するためのシンボルの後にくる、サブフレーム種類を示す、
請求項９または１０に記載のユーザ機器。
【請求項１２】
前記受信ユニットは、時間ドメインにおいて前記サブフレームに隣接する別のサブフレームの１または複数のシンボルにおけるダウンリンク制御チャネルをさらに受信し、
前記送信ユニットは、前記別のサブフレームの１または複数のシンボルにおけるアップリンクチャネルをさらに送信し、
アップリンクチャネルを送信するための前記別のサブフレームの前記１または複数のシンボルは、前記ダウンリンク制御チャネルの受信に関する前記別のサブフレームの前記１または複数のシンボルの後にくる、
請求項９から１１のいずれか一項に記載のユーザ機器。
【請求項１３】
プログラムが記録されたコンピュータ読み取り可能な格納媒体であって、前記プログラムは請求項１から４のいずれか一項に記載の方法をコンピュータに実行させる、コンピュータ読み取り可能な格納媒体。
【請求項１４】
請求項１から４のいずれか一項に記載の方法をコンピュータに実行させる、プログラム。
【手続補正２】
【補正対象書類名】明細書
【補正対象項目名】０００３
【補正方法】変更
【補正の内容】
【０００３】
ＬＴＥシステムにおいて、１フレームは１０のフレームに分割され得て、その１０のフレームは、アップリンクサブフレーム、ダウンリンクサブフレーム、及び特殊サブフレームを含む。それぞれのサブフレームは、時間において複数のシンボルにさらに分割され得て、その複数のシンボルは、直交周波数分割多重（英語表記：Ｏｒｔｈｏｇｏｎａｌ  Ｆｒｅｑｕｅｎｃｙ  Ｄｉｖｉｓｉｏｎ  Ｍｕｌｔｉｐｌｅｘ、略してＯＦＤＭ）シンボル、又は単一搬送波周波数分割多重接続（英語表記：Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘ  Ａｃｃｅｓｓ、略してＳＣ−ＦＤＭＡ）シンボルであり得る。ＯＦＤＭシンボルは、ダウンリンク送信のために用いられ、ＳＣ−ＦＤＭＡシンボルは、アップリンク送信のために用いられる。
【手続補正３】
【補正対象書類名】明細書
【補正対象項目名】００９８
【補正方法】変更
【補正の内容】
【００９８】
データがＵＥと基地局との間で送信されるとき、データは、サブフレームを用いることによって送信されてよく、それぞれのサブフレームは、同じ持続時間を有する。従って、基地局は、データ送信のための第１サブフレームを、第１種サブフレーム、第２種サブフレーム、第３種サブフレーム、又は第４種サブフレームに設定してよい。第１種サブフレームに対して、第１種サブフレームのアップリンク制御チャネルと第１種サブフレームのダウンリンクチャネルとの間にガード期間が存在せず、これにより、ガード期間の数を減らし、サブフレームにおけるデータ送信のための時間を増大し、さらに無線リソースの利用率を向上させる。第２種サブフレームに対して、第２種サブフレームのアップリンク制御チャネルと第２種サブフレームのダウンリンクチャネルとの間にガード期間が存在し、すなわち、第２種サブフレームにおいてダウンリンク送信からアップリンク送信への切り替えが一回実行され、これにより、切り替えの回数を減らし、ガード期間の数を減らし、サブフレームにおけるデータ送信の時間を増大し、さらに無線リソースの利用率を向上させる。第３種サブフレームに対して、第３種サブフレームのアップリンクチャネルと第３種サブフレームのダウンリンク制御チャネルとの間にガード期間が存在せず、これにより、ガード期間の数を減らし、サブフレームにおけるデータ送信のための時間を増大し、さらに無線リソースの利用率を向上させる。第４種サブフレームに対して、第４種サブフレームのアップリンクチャネルと第４種サブフレームのダウンリンク制御チャネルとの間のガード期間が存在し、すなわち、第４種サブフレームにおいてダウンリンク送信からアップリンク送信への切り替えが一回実行され、これにより、切り替えの回数を減らし、ガード期間の数を減らし、サブフレームにおいてデータ送信の時間を増大し、さらに無線リソースの利用率を向上させる。
【手続補正４】
【補正対象書類名】明細書
【補正対象項目名】００９９
【補正方法】変更
【補正の内容】
【００９９】
アップリンク制御チャネルは、以下の情報、つまり、ダウンリンクデータを受信するための肯定応答／否定応答（英語表記：Ａｃｋｎｏｗｌｅｄｇｍｅｎｔ／Ｎｅｇａｔｉｖｅ  Ａｃｋｎｏｗｌｅｄｇｍｅｎｔ、略してＡＣＫ／ＮＡＣＫ）フィードバック、ダウンリンクチャネルの品質測定結果のためのチャネル状態情報（英語表記：Ｃｈａｎｎｅｌ  Ｓｔａｔｅ  Ｉｎｆｏｒｍａｔｉｏｎ、略してＣＳＩ）フィードバック、又はスケジューリング要求のうち少なくとも１種類を送信するために用いられ得る。もちろん、アップリンク制御チャネルはまた、他の情報を送信するために用いられてよく、本願発明のこの実施形態においては列挙されない。
【手続補正５】
【補正対象書類名】明細書
【補正対象項目名】０１２１
【補正方法】変更
【補正の内容】
【０１２１】
第１の予め設定された数は事前に設定され、第１の予め設定された数は、第１種サブフレームのダウンリンクチャネルにおけるシンボルの数より小さく、又は、第１の予め設定された数は、第２種サブフレームのダウンリンクチャネルにおけるシンボルの数より小さく、第１の予め設定された数は、１、２、又は３などであってよい。このことは、本願発明のこの実施形態において具体的に限定されない。同様に、第２の予め設定された数も事前に設定され、第２の予め設定された数は第３種サブフレームのアップリンクチャネルにおけるシンボルの数より小さく、又は第２の予め設定された数は、第４種サブフレームのアップリンクチャネルにおけるシンボルの数より小さく、第２の予め設定された数も、１、２、又は３などであってよい。第２の予め設定された数及び第１の予め設定された数は、等しくてよく、又は等しくなくてよい。このことも、本願発明のこの実施形態において具体的に限定されない。
【手続補正６】
【補正対象書類名】明細書
【補正対象項目名】０１２８
【補正方法】変更
【補正の内容】
【０１２８】
あるいは、第１種サブフレームの新しいダウンリンクチャネルにおける第１の予め設定された数の連続するシンボルは、ダウンリンク制御チャネルを送信するために用いられ、第１種サブフレームの新しいダウンリンクチャネルにおける、第１の予め設定された数のシンボル以外のシンボルの第７周波数帯域セットが、ダウンリンクデータを送信するために用いられ、第１種サブフレームの新しいダウンリンクチャネルにおける、第１の予め設定された数のシンボル以外のシンボルの第８周波数帯域セットが、ダウンリンク制御チャネルを送信するために用いられる。説明の簡易さのために、第１種サブフレームの新しいダウンリンクチャネルにおける、第１の予め設定された数のシンボル以外のシンボルは、第２残余ダウンリンクシンボルと称され、第２残余ダウンリンクシンボルにおける第８周波数帯域セットは、第２残余ダウンリンクシンボルの周波数帯域のうちの第２残余ダウンリンクシンボルにおける第７周波数帯域セット以外の周波数帯域であり、すなわち、第２残余ダウンリンクシンボルにおける第７周波数帯域セット及び第８周波数帯域セットは、第２残余ダウンリンクシンボルの周波数帯域全体を構成する。図１１（ｃ）は、第１種サブフレームを示す。第１種サブフレームの新しいダウンリンクチャネルにおける第１の予め設定された数の連続するシンボルは、時間的順序で最初に配置された１つのシンボルであり、すなわち、図１１（ｃ）の第１シンボルであり、第１シンボルは、ダウンリンク制御チャネルを送信するために用いられ、図１１（ｃ）の第１シンボル以外のシンボルは、第２残余ダウンリンクシンボルであり、第２残余ダウンリンクシンボルにおける第７周波数帯域セットは、ダウンリンクデータを送信するために用いられ、第２残余ダウンリンクシンボルにおける第８周波数帯域セットは、ダウンリンク制御チャネルを送信するために用いられる。
【手続補正７】
【補正対象書類名】明細書
【補正対象項目名】０１３２
【補正方法】変更
【補正の内容】
【０１３２】
あるいは、第３種サブフレームの新しいアップリンクチャネルにおける第２の予め設定された数の連続するシンボルがアップリンク制御チャネルを送信するために用いられ、第３種サブフレームの新しいアップリンクチャネルにおける、第２の予め設定された数のシンボル以外のシンボルの第７周波数帯域セットは、アップリンクデータを送信するために用いられ、第３種サブフレームの新しいアップリンクチャネルにおける、第２の予め設定された数のシンボル以外のシンボルの第８周波数帯域セットは、アップリンク制御チャネルを送信するために用いられる。説明の簡易さのために、第３種サブフレームの新しいアップリンクチャネルにおける、第２の予め設定された数のシンボル以外のシンボルは、第２残余アップリンクシンボルと称され、第２残余アップリンクシンボルにおける第８周波数帯域セットは、第２残余アップリンクシンボルの周波数帯域のうちの第２残余アップリンクシンボルにおける第７周波数帯域セット以外の周波数帯域であり、すなわち、第２残余アップリンクシンボルにおける第７周波数帯域セット及び第８周波数帯域セットは、第２残余アップリンクシンボルの周波数帯域全体を構成する。図１２（ｃ）は、第３種サブフレームを示す。第３種サブフレームの新しいアップリンクチャネルにおける第２の予め設定された数の連続するシンボルは、時間的順序で最初に配置された１つのシンボルであり、すなわち、図１２（ｃ）の第１シンボルであり、第１シンボル以外のシンボルは、第２残余アップリンクシンボルであり、第１シンボルは、アップリンク制御チャネルを送信するために用いられ、第２残余アップリンクシンボルにおける第７周波数帯域セットがアップリンクデータを送信するために用いられ、第２残余アップリンクシンボルにおける第８周波数帯域セットがアップリンク制御チャネルを送信するために用いられる。
【手続補正８】
【補正対象書類名】明細書
【補正対象項目名】０１６４
【補正方法】変更
【補正の内容】
【０１６４】
前述の説明は本願発明の実施形態の例に過ぎず、本願発明を制限することは意図されない。本願発明の趣旨及び原則から逸脱することなく成されたいかなる変更、同等な置換、及び改良は、本願発明の保護範囲に含まれるものとする。
（項目１）
データ送信デバイスであって、上記デバイスは、
データ送信のための第１サブフレームの種類を決定するよう構成されるプロセッサであって、上記第１サブフレームの上記種類は、第１種サブフレーム、第２種サブフレーム、第３種サブフレーム、又は第４種サブフレームであり、プロセッサと、
上記第１種サブフレームは、アップリンク制御チャネル及びダウンリンクチャネルを含み、上記第１種サブフレームの上記アップリンク制御チャネルは、上記第１種サブフレームの上記ダウンリンクチャネルの前に位置し、
上記第２種サブフレームは、アップリンク制御チャネル及びダウンリンクチャネルを含み、上記第２種サブフレームの上記アップリンク制御チャネルは、上記第２種サブフレームの上記ダウンリンクチャネルの後に位置し、上記第２種サブフレームの上記アップリンク制御チャネルと上記第２種サブフレームの上記ダウンリンクチャネルとの間にガード期間が存在し、
上記第３種サブフレームは、アップリンクチャネル及びダウンリンク制御チャネルを含み、上記第３種サブフレームの上記アップリンクチャネルは、上記第３種サブフレームの上記ダウンリンク制御チャネルの前に位置し、
上記第４種サブフレームは、アップリンクチャネル及びダウンリンク制御チャネルを含み、上記第４種サブフレームの上記アップリンクチャネルは、上記第４種サブフレームの上記ダウンリンク制御チャネルの後に位置し、上記第４種サブフレームの上記アップリンクチャネルと上記第４種サブフレームの上記ダウンリンク制御チャネルとの間にガード期間が存在する、プロセッサと、
上記第１サブフレームの上記決定された種類に従って、上記第１サブフレームにおいてデータを送信するよう構成される送信機と
を備える
データ送信デバイス。
（項目２）
上記デバイスは、上記第１サブフレームの後の第２サブフレームにおいてデータを送信するようさらに構成される上記送信機であって、上記第２サブフレームは上記第１サブフレームに隣接する、上記送信機をさらに備え、
上記第２サブフレームの開始時点におけるデータ送信方向が上記第１サブフレームの終了時点におけるデータ送信方向と異なる場合、上記第１サブフレームと上記第２サブフレームとの間にガード期間がさらに含まれ、
上記第２サブフレームの上記開始時点における上記データ送信方向が上記第１サブフレームの上記終了時点における上記データ送信方向と同じである場合、上記第１サブフレームと上記第２サブフレームとの間に時間間隔が含まれない、項目１に記載のデバイス。
（項目３）
上記デバイスは、上記第１サブフレームの後の第２サブフレームにおいてデータを送信するようさらに構成される上記送信機であって、上記第２サブフレームは、上記第１サブフレームに隣接する、上記送信機をさらに備え、
上記第２サブフレームの開始時点におけるデータ送信方向がアップリンクであり、上記第１サブフレームの終了時点におけるデータ送信方向がダウンリンクである場合、上記第１サブフレームと上記第２サブフレームとの間にガード期間がさらに含まれる、項目１に記載のデバイス。
（項目４）
上記プロセッサは、第１の予め設定された周期に従って、上記第１サブフレームの上記種類が上記第１種サブフレーム又は上記第２種サブフレームであるかを決定するようさらに構成され、又は、
上記プロセッサは、第２の予め設定された周期に従って、上記第１サブフレームの上記種類が上記第３種サブフレーム又は第４種サブフレームであるかを決定するようさらに構成される、項目１から３の何れか一項に記載のデバイス。
（項目５）
上記第１の予め設定された周期に従って、上記第１サブフレームの上記種類が上記第１種サブフレーム又は上記第２種サブフレームであると決定されたとき、上記第１サブフレームは、同期信号、ブロードキャスト信号、又はディスカバリ参照信号のうちの１つ又はそれらの組み合わせを送信するために用いられ、上記ブロードキャスト信号は、上記第１の予め設定された周期及び／又は上記第２の予め設定された周期に関する情報を保持するために用いられる、項目４に記載のデバイス。
（項目６）
上記第１の予め設定された周期及び上記第２の予め設定された周期が同じであるとき、上記ブロードキャスト信号は、上記第１の予め設定された周期又は上記第２の予め設定された周期を示し、上記ブロードキャスト信号は、上記第１の予め設定された周期と上記第２の予め設定された周期との間のオフセットをさらに示し、上記オフセットは、上記第１の予め設定された周期及び上記第２の予め設定された周期に対応するサブフレーム間のサブフレームナンバーの差を示すために用いられる、項目５に記載のデバイス。
（項目７）
上記第１サブフレームは、指示情報を保持し、上記指示情報は、上記第１サブフレームの後の第ｋサブフレームのサブフレーム種類を示すために用いられ、ｋは正の整数である、項目１から６の何れか一項に記載のデバイス。
（項目８）
上記第１種サブフレームの上記ダウンリンクチャネルにおける第１の予め設定された数の連続するシンボル、又は上記第２種サブフレームの上記ダウンリンクチャネルにおける第１の予め設定された数の連続するシンボルは、ダウンリンク制御チャネルを送信するために用いられ、上記第１種サブフレームの上記ダウンリンクチャネルにおける、上記第１の予め設定された数のシンボル以外のシンボル、又は上記第２種サブフレームの上記ダウンリンクチャネルにおける、上記第１の予め設定された数のシンボル以外のシンボルは、ダウンリンクデータを送信するために用いられ、上記第１の予め設定された数の連続するシンボルは、時間的順序で前に配置された第１の予め設定された数のシンボルであり、又は上記第１の予め設定された数の連続するシンボルは、時間的順序で後に配置された第１の予め設定された数のシンボルである、項目１から７の何れか一項に記載のデバイス。
（項目９）
上記第１種サブフレームの上記ダウンリンクチャネルにおける第１周波数帯域セット、又は上記第２種サブフレームの上記ダウンリンクチャネルにおける第１周波数帯域セットは、ダウンリンクデータを送信するために用いられ、上記第１種サブフレームの上記ダウンリンクチャネルにおける第２周波数帯域セット、又は上記第２種サブフレームの上記ダウンリンクチャネルにおける第２周波数帯域セットは、ダウンリンク制御チャネルを送信するために用いられる、項目１から７の何れか一項に記載のデバイス。
（項目１０）
上記第１種サブフレームの上記ダウンリンクチャネルにおける第１の予め設定された数の連続するシンボル、又は上記第２種サブフレームの上記ダウンリンクチャネルにおける第１の予め設定された数の連続するシンボルは、ダウンリンク制御チャネルを送信するために用いられ、上記第１種サブフレームの上記ダウンリンクチャネルにおける、上記第１の予め設定された数のシンボル以外のシンボルの第３周波数帯域セット、又は上記第２種サブフレームの上記ダウンリンクチャネルにおける、上記第１の予め設定された数のシンボル以外のシンボルの第３周波数帯域セットは、ダウンリンクデータを送信するために用いられ、上記第１種サブフレームの上記ダウンリンクチャネル又は上記第２種サブフレームの上記ダウンリンクチャネルにおける、上記第１の予め設定された数のシンボル以外の上記シンボルの第４周波数帯域セット、又は上記第２種サブフレームの上記ダウンリンクチャネルにおける、上記第１の予め設定された数のシンボル以外の上記シンボルの第４周波数帯域セットは、ダウンリンク制御チャネルを送信するために用いられる、項目１から７の何れか一項に記載のデバイス。
（項目１１）
上記第３種サブフレームの上記アップリンクチャネルにおける第２の予め設定された数の連続するシンボル、又は上記第４種サブフレームの上記アップリンクチャネルにおける第２の予め設定された数の連続するシンボルは、アップリンク制御チャネルを送信するために用いられ、上記第３種サブフレームの上記アップリンクチャネルにおける、上記第２の予め設定された数のシンボル以外のシンボル、又は上記第４種サブフレームの上記アップリンクチャネルにおける、上記第２の予め設定された数のシンボル以外のシンボルは、アップリンクデータを送信するために用いられ、上記第２の予め設定された数の連続するシンボルは、時間的順序で前に配置された第２の予め設定された数のシンボルであり、上記第２の予め設定された数の連続するシンボルは、時間的順序で後に配置された第２の予め設定された数のシンボルである項目１から１０の何れか一項に記載のデバイス。
（項目１２）
上記第３種サブフレームの上記アップリンクチャネルにおける第１周波数帯域セット、又は上記第４種サブフレームの上記アップリンクチャネルにおける第１周波数帯域セットは、アップリンクデータを送信するために用いられ、上記第３種サブフレームの上記アップリンクチャネルにおける第２周波数帯域セット、又は上記第４種サブフレームの上記アップリンクチャネルにおける第２周波数帯域セットは、アップリンク制御チャネルを送信するために用いられる、項目１から１０の何れか一項に記載のデバイス。
（項目１３）
上記第３種サブフレームの上記アップリンクチャネルにおける第２の予め設定された数の連続するシンボル、又は上記第４種サブフレームの上記アップリンクチャネルにおける第２の予め設定された数の連続するシンボルは、アップリンク制御チャネルを送信するために用いられ、上記第３種サブフレームの上記アップリンクチャネルにおける、上記第２の予め設定された数のシンボル以外のシンボルの第３周波数帯域セット、又は上記第４種サブフレームの上記アップリンクチャネルにおける、上記第２の予め設定された数のシンボル以外のシンボルの第３周波数帯域セットは、アップリンクデータを送信するために用いられ、上記第３種サブフレームの上記アップリンクチャネルにおける、上記第２の予め設定された数のシンボル以外のシンボルの第４周波数帯域セット、又は上記第４種サブフレームの上記アップリンクチャネルにおける、上記第２の予め設定された数のシンボル以外のシンボルの第４周波数帯域セットは、アップリンク制御チャネルを送信するために用いられる、項目１から１０の何れか一項に記載のデバイス。
【手続補正９】
【補正対象書類名】図面
【補正対象項目名】図５
【補正方法】変更
【補正の内容】
【図５】
2019165450.tif 000017
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
通信方法であって、前記通信方法は、
ユーザ機器によって、サブフレームの１または複数のシンボルにおけるダウンリンクチャネルを受信する段階と、
前記ユーザ機器によって、前記サブフレームの１または複数のシンボルにおける前記ダウンリンクチャネルに応答する肯定応答／否定応答（ＡＣＫ／ＮＡＣＫ）フィードバックメッセージを送信する段階とを備え、
前記ＡＣＫ／ＮＡＣＫフィードバックメッセージを送信するための前記サブフレームの前記１または複数のシンボルは、前記ダウンリンクチャネルに関する前記１または複数のシンボルの後にくる、
通信方法。
【請求項２】
前記サブフレームにおけるシンボルは、直交周波数分割多重（ＯＦＤＭ）シンボルである、請求項１に記載の通信方法。
【請求項３】
前記通信方法はさらに、
前記ユーザ機器によって、基地局によって送られる指示情報を受信する段階を備え、前記指示情報は、アップリンク制御チャネルを送信するための前記サブフレームのシンボルが、ダウンリンクチャネルを送信するためのシンボルの後にくる、サブフレーム種類を示す、請求項１または２に記載の通信方法。
【請求項４】
前記通信方法はさらに、
前記ユーザ機器によって、時間ドメインにおいて前記サブフレームに隣接する別のサブフレームの１または複数のシンボルにおけるダウンリンク制御チャネルを受信する段階と、
前記ユーザ機器によって、前記別のサブフレームの１または複数のシンボルにおけるアップリンクチャネルを送信する段階とを備え、
アップリンクチャネルを送信するための前記別のサブフレームの前記１または複数のシンボルは、前記ダウンリンク制御チャネルの受信に関する前記別のサブフレームの前記１または複数のシンボルの後にくる、請求項１から３のいずれか一項に記載の通信方法。
【請求項５】
前記通信方法はさらに、前記ユーザ機器によって、基地局によって送られる指示情報を受信し、前記指示情報は、アップリンクチャネルを送信するための前記別のサブフレームのシンボルが、前記ダウンリンク制御チャネルの受信に関する前記別のサブフレームの前記１または複数のシンボルの後にくる、サブフレーム種類を示す、請求項４に記載の通信方法。
【請求項６】
前記サブフレームは、同期信号、ブロードキャスト信号、またはディスカバリ参照信号のうち少なくとも１つを送信するために用いられる、請求項１から５のいずれか一項に記載の通信方法。
【請求項７】
サブフレームの１または複数のシンボルにおけるダウンリンクチャネルを受信する受信機と、
前記サブフレームの１または複数のシンボルにおける前記ダウンリンクチャネルに応答する肯定応答／否定応答（ＡＣＫ／ＮＡＣＫ）フィードバックメッセージを送信する送信機と、を備えるユーザ機器であって、
前記ＡＣＫ／ＮＡＣＫフィードバックメッセージを送信する前記サブフレームの前記１または複数のシンボルは、前記ダウンリンクチャネルに関する前記１または複数のシンボルの後にくる、
ユーザ機器。
【請求項８】
前記サブフレームにおけるシンボルは、直交周波数分割多重（ＯＦＤＭ）シンボルである、請求項７に記載のユーザ機器。
【請求項９】
前記受信機はさらに、基地局によって送られる指示情報を受信し、前記指示情報は、アップリンク制御チャネルを送信するための前記サブフレームのシンボルが、ダウンリンクチャネルを送信するためのシンボルの後にくる、サブフレーム種類を示す、
請求項７または８に記載のユーザ機器。
【請求項１０】
前記受信機は、時間ドメインにおいて前記サブフレームに隣接する別のサブフレームの１または複数のシンボルにおけるダウンリンク制御チャネルをさらに受信し、
前記送信機は、前記別のサブフレームの１または複数のシンボルにおけるアップリンクチャネルをさらに送信し、
アップリンクチャネルを送信するための前記別のサブフレームの前記１または複数のシンボルは、前記ダウンリンク制御チャネルの受信に関する前記別のサブフレームの前記１または複数のシンボルの後にくる、
請求項７から９のいずれか一項に記載のユーザ機器。
【請求項１１】
前記受信機はさらに、基地局によって送られる指示情報を受信し、前記指示情報は、アップリンクチャネルを送信するための前記別のサブフレームのシンボルが、ダウンリンク制御チャネルの受信に関する前記別のサブフレームの前記１または複数のシンボルの後にくる、サブフレーム種類を示す、
請求項１０に記載のユーザ機器。
【請求項１２】
前記サブフレームは、同期信号、ブロードキャスト信号、またはディスカバリ参照信号のうち少なくとも１つを送信するために用いられる、請求項７から１１のいずれか一項に記載のユーザ機器。
【請求項１３】
サブフレームの１または複数のシンボルにおけるダウンリンクチャネルを受信する受信ユニットと、
前記サブフレームの１または複数のシンボルにおける前記ダウンリンクチャネルに応答する肯定応答／否定応答（ＡＣＫ／ＮＡＣＫ）フィードバックメッセージを送信する送信ユニットと、を備えるユーザ機器であって、
前記ＡＣＫ／ＮＡＣＫフィードバックメッセージを送信する前記サブフレームの前記１または複数のシンボルは、前記ダウンリンクチャネルに関する前記１または複数のシンボルの後にくる、
ユーザ機器。
【請求項１４】
前記サブフレームにおけるシンボルは、直交周波数分割多重（ＯＦＤＭ）シンボルである、請求項１３に記載のユーザ機器。
【請求項１５】
前記受信ユニットはさらに、基地局によって送られる指示情報を受信し、前記指示情報は、アップリンク制御チャネルを送信するための前記サブフレームのシンボルが、ダウンリンクチャネルを送信するためのシンボルの後にくる、サブフレーム種類を示す、
請求項１３または１４に記載のユーザ機器。
【請求項１６】
前記受信ユニットは、時間ドメインにおいて前記サブフレームに隣接する別のサブフレームの１または複数のシンボルにおけるダウンリンク制御チャネルをさらに受信し、
前記送信ユニットは、前記別のサブフレームの１または複数のシンボルにおけるアップリンクチャネルをさらに送信し、
アップリンクチャネルを送信するための前記別のサブフレームの前記１または複数のシンボルは、前記ダウンリンク制御チャネルの受信に関する前記別のサブフレームの前記１または複数のシンボルの後にくる、
請求項１３から１５のいずれか一項に記載のユーザ機器。
【請求項１７】
前記受信ユニットはさらに、基地局によって送られる指示情報を受信し、前記指示情報は、アップリンクチャネルを送信するための前記別のサブフレームのシンボルが、ダウンリンク制御チャネルの受信に関する前記別のサブフレームの前記１または複数のシンボルの後にくる、サブフレーム種類を示す、
請求項１６に記載のユーザ機器。
【請求項１８】
前記サブフレームは、同期信号、ブロードキャスト信号、またはディスカバリ参照信号のうち少なくとも１つを送信するために用いられる、請求項１３から１７のいずれか一項に記載のユーザ機器。
【請求項１９】
プログラムが記録されたコンピュータ読み取り可能な格納媒体であって、前記プログラムは、
サブフレームの１または複数のシンボルにおけるダウンリンクチャネルを受信する段階と、
前記サブフレームの１または複数のシンボルにおける前記ダウンリンクチャネルに応答する肯定応答／否定応答（ＡＣＫ／ＮＡＣＫ）フィードバックメッセージを送信する段階とを備え、
前記ＡＣＫ／ＮＡＣＫフィードバックメッセージを送信するための前記サブフレームの前記１または複数のシンボルは、前記ダウンリンクチャネルに関する前記１または複数のシンボルの後にくる、
方法をコンピュータに実行させる、コンピュータ読み取り可能な格納媒体。
【請求項２０】
前記サブフレームにおけるシンボルは、直交周波数分割多重（ＯＦＤＭ）シンボルである、請求項１９に記載のコンピュータ読み取り可能な格納媒体。
【請求項２１】
前記方法はさらに、
基地局によって送られる指示情報を受信する段階を備え、前記指示情報は、アップリンク制御チャネルを送信するための前記サブフレームのシンボルが、ダウンリンクチャネルを送信するためのシンボルの後にくる、サブフレーム種類を示す、請求項１９または２０に記載のコンピュータ読み取り可能な格納媒体。
【請求項２２】
前記方法はさらに、
時間ドメインにおいて前記サブフレームに隣接する別のサブフレームの１または複数のシンボルにおけるダウンリンク制御チャネルを受信する段階と、
前記別のサブフレームの１または複数のシンボルにおけるアップリンクチャネルを送信する段階とを備え、
アップリンクチャネルを送信するための前記別のサブフレームの前記１または複数のシンボルは、前記ダウンリンク制御チャネルの受信に関する前記別のサブフレームの前記１または複数のシンボルの後にくる、請求項１９から２１のいずれか一項に記載のコンピュータ読み取り可能な格納媒体。
【請求項２３】
前記方法はさらに、ユーザ機器によって、基地局によって送られる指示情報を受信し、前記指示情報は、アップリンクチャネルを送信するための前記別のサブフレームのシンボルが、前記ダウンリンク制御チャネルの受信に関する前記別のサブフレームの前記１または複数のシンボルの後にくる、サブフレーム種類を示す、請求項２２に記載のコンピュータ読み取り可能な格納媒体。
【請求項２４】
前記サブフレームは、同期信号、ブロードキャスト信号、またはディスカバリ参照信号のうち少なくとも１つを送信するために用いられる、請求項１９から２３のいずれか一項に記載のコンピュータ読み取り可能な格納媒体。
【請求項２５】
サブフレームの１または複数のシンボルにおけるダウンリンクチャネルを受信する段階と、
前記サブフレームの１または複数のシンボルにおける前記ダウンリンクチャネルに応答する肯定応答／否定応答（ＡＣＫ／ＮＡＣＫ）フィードバックメッセージを送信する段階とを備え、
前記ＡＣＫ／ＮＡＣＫフィードバックメッセージを送信するための前記サブフレームの前記１または複数のシンボルは、前記ダウンリンクチャネルに関する前記１または複数のシンボルの後にくる、
方法をコンピュータに実行させる、プログラム。
【請求項２６】
前記サブフレームにおけるシンボルは、直交周波数分割多重（ＯＦＤＭ）シンボルである、請求項２５に記載のプログラム。
【請求項２７】
前記方法はさらに、
基地局によって送られる指示情報を受信する段階を備え、前記指示情報は、アップリンク制御チャネルを送信するための前記サブフレームのシンボルが、ダウンリンクチャネルを送信するためのシンボルの後にくる、サブフレーム種類を示す、請求項２５または２６に記載のプログラム。
【請求項２８】
前記方法はさらに、
時間ドメインにおいて前記サブフレームに隣接する別のサブフレームの１または複数のシンボルにおけるダウンリンク制御チャネルを受信する段階と、
前記別のサブフレームの１または複数のシンボルにおけるアップリンクチャネルを送信する段階とを備え、
アップリンクチャネルを送信するための前記別のサブフレームの前記１または複数のシンボルは、前記ダウンリンク制御チャネルの受信に関する前記別のサブフレームの前記１または複数のシンボルの後にくる、請求項２５から２７のいずれか一項に記載のプログラム。
【請求項２９】
前記方法はさらに、ユーザ機器によって、基地局によって送られる指示情報を受信し、前記指示情報は、アップリンクチャネルを送信するための前記別のサブフレームのシンボルが、前記ダウンリンク制御チャネルの受信に関する前記別のサブフレームの前記１または複数のシンボルの後にくる、サブフレーム種類を示す、請求項２８に記載のプログラム。
【請求項３０】
前記サブフレームは、同期信号、ブロードキャスト信号、またはディスカバリ参照信号のうち少なくとも１つを送信するために用いられる、請求項２５から２９のいずれか一項に記載のプログラム。
【外国語明細書】
2019165450000001.pdf